(57)【特許請求の範囲】
【請求項１】
基地局と交換機とを含むセル方式の移動通信網の該基地局との間で無線通信可能な通信端末装置と、該セル方式の移動通信網を含む通信網に設けられた通信網側装置と、を備え、該セル方式の移動通信網を介した音声通信の音声品質を測定する音声品質測定システムであって、
音声品質測定用の音声信号の音源ファイルを記憶する音源ファイル記憶手段と、
前記音源ファイルの音声信号を前記通信網側装置から前記通信端末装置に又は前記通信端末装置から前記通信網側装置に送信する音声信号送信手段と、
前記通信端末装置で受信された前記通信網側装置からの音声信号又は前記通信網側装置で受信された前記通信端末装置からの音声信号を録音する録音手段と、
前記録音手段で録音した音声信号の録音ファイルを記憶する録音ファイル記憶手段と、
前記音源ファイルの音声信号と前記録音ファイルの音声信号とを比較し、その比較結果に基づいて、前記セル方式の移動通信網を介した前記通信端末装置と前記通信網側装置との間における音声通信の音声品質の評価値を計算する音声品質計算手段と、
を備えることを特徴とする音声品質測定システム。
【請求項２】
請求項１の音声品質測定システムにおいて、
前記通信端末装置は、
音声品質測定用の音声信号の音源ファイルを記憶する音源ファイル記憶手段と、
前記通信網側装置に向けて音声通信の発呼を行う発呼手段と、
前記通信網側装置から送信されてきた音声品質測定用の音声信号を受信する音声信号受信手段と、
前記通信網側装置から受信した音声信号を録音する録音手段と、
前記録音手段で録音した音声信号の録音ファイルを記憶する録音ファイル記憶手段と、
前記音源ファイルの音声信号と前記録音ファイルの音声信号とを比較し、その比較結果に基づいて、前記セル方式の移動通信網を介した前記通信網側装置から前記通信端末装置までの下り方向における音声通信の音声品質の評価値を計算する音声品質計算手段と、を備え、
前記通信網側装置は、
音声品質測定用の音声信号の音源ファイルを記憶する音源ファイル記憶手段と、
前記音声品質測定用の音声信号を前記通信端末装置に向けて送信する音声信号送信手段と、を備えることを特徴とする音声品質測定システム。
【請求項３】
請求項１の音声品質測定システムにおいて、
前記通信端末装置は、
前記通信網側装置に向けて音声通信の発呼を行う発呼手段と、
前記通信網側装置から送信されてきた音声品質測定用の音声信号を受信する音声信号受信手段と、
前記通信網側装置から受信した音声信号を録音する録音手段と、
前記録音手段で録音した音声信号の録音ファイルを前記通信網側装置に送信する録音ファイル送信手段と、を備え、
前記通信網側装置は、
音声品質測定用の音声信号の音源ファイルを記憶する音源ファイル記憶手段と、
前記音声品質測定用の音声信号を前記通信端末装置に向けて送信する音声信号送信手段と、
前記通信端末装置から送信されてきた音声信号の録音ファイルを受信する録音ファイル受信手段と、
前記通信端末装置から受信した録音ファイルを記憶する録音ファイル記憶手段と、
前記音源ファイルの音声信号と前記録音ファイルの音声信号とを比較し、その比較結果に基づいて、前記セル方式の移動通信網を介した前記通信網側装置から前記通信端末装置までの下り方向における音声通信の音声品質の評価値を計算する音声品質計算手段と、を備えることを特徴とする音声品質測定システム。
【請求項４】
請求項１の音声品質測定システムにおいて、
前記通信端末装置は、
音声品質測定用の音声信号の音源ファイルを記憶する音源ファイル記憶手段と、
前記通信網側装置に向けて音声通信の発呼を行う発呼手段と、
前記発呼とともに前記音声品質測定用の音声信号を前記通信端末装置に向けて送信する音声信号送信手段と、
前記通信網側装置から前記音声品質測定用の音声信号を録音した録音ファイルを受信する録音ファイル受信手段と、
前記音源ファイルの音声信号と前記録音ファイルの音声信号とを比較し、その比較結果に基づいて、前記セル方式の移動通信網を介した前記通信端末装置から前記通信網側装置までの上り方向における音声通信の音声品質の評価値を計算する音声品質計算手段と、を備え、
前記通信網側装置は、
前記通信端末装置から送信されてきた音声品質測定用の音声信号を受信する音声信号受信手段と、
前記通信端末装置から受信した音声信号を録音する録音手段と、
前記録音手段で録音した音声信号の録音ファイルを前記通信端末装置に送信する録音ファイル送信手段と、
を備えることを特徴とする音声品質測定システム。
【請求項５】
請求項１の音声品質測定システムにおいて、
前記通信端末装置は、
音声品質測定用の音声信号の音源ファイルを記憶する音源ファイル記憶手段と、
前記通信網側装置に向けて音声通信の発呼を行う発呼手段と、
前記発呼とともに前記音声品質測定用の音声信号を前記通信網側装置に向けて送信する音声信号送信手段と、を備え、
前記通信網側装置は、
音声品質測定用の音声信号の音源ファイルを記憶する音源ファイル記憶手段と、
前記通信端末装置から送信されてきた音声品質測定用の音声信号を受信する音声信号受信手段と、
前記通信端末装置から受信した音声信号を録音する録音手段と、
前記録音手段で録音した音声信号の録音ファイルを記憶する録音ファイル記憶手段と、
前記音源ファイルの音声信号と前記録音ファイルの音声信号とを比較し、その比較結果に基づいて、前記セル方式の移動通信網を介した前記通信端末装置から前記通信網側装置までの上り方向における音声通信の音声品質の評価値を計算する音声品質計算手段と、を備えることを特徴とする音声品質測定システム。
【請求項６】
請求項１乃至５のいずれかの音声品質測定システムにおいて、
前記音源ファイルの音声信号の送信は、前記通信網を介した前記通信端末装置から音声通信先への通話のための発呼に基づいて行われ、
前記通信端末装置から前記音声通信先への発呼は、前記通信網側装置の電話番号を含む第１の発呼と、該通信網側装置から前記音声品質測定用の音声信号を受信した後又は該通信網側装置へ前記音声品質測定用の音声信号を送信した後における前記音声通信先の電話番号を含む第２の発呼とに分けて行われることを特徴とする音声品質測定システム。
【請求項７】
請求項１乃至５のいずれかの音声品質測定システムにおいて、
前記音源ファイルの音声信号の送信は、前記通信網を介した前記通信端末装置から音声通信先への通話のための発呼に基づいて行われ、
前記通信端末装置から前記音声通信先への発呼は、前記通信網側装置の電話番号と音声通信先の電話番号とを含み、
前記通信網側装置は、前記通信端末装置から前記音声通信先への発呼を受けたとき、該発呼の転送をいったん保留にし、該通信網側装置から前記通信端末装置への前記音声品質測定用の音声信号の送信終了を検知した後又は前記通信端末装置から該通信網側装置への前記音声品質測定用の音声信号の送信終了を検知した後、前記通信端末装置から前記音声通信先への発呼の転送を開始する、ことを特徴とする音声品質測定システム。
【請求項８】
請求項１の音声品質測定システムにおいて、
前記通信端末装置は、
音声品質測定用の音声信号として使用可能な呼び出し音の音源ファイルを記憶する音源ファイル記憶手段と、
前記交換機に向けて音声通信先に対する発呼を行う発呼手段と、
前記音声通信先に対する発呼に基づいて前記交換機から送信されてきた呼び出し音の信号を受信する呼び出し音受信手段と、
前記交換機から受信した呼び出し音を録音する録音手段と、
前記録音手段で録音した呼び出し音の録音ファイルを記憶する録音ファイル記憶手段と、
前記音源ファイルの呼び出し音と前記録音ファイルの呼び出し音とを比較し、その比較結果に基づいて音声品質の評価値を計算する音声品質計算手段と、を備え、
前記通信網に設けられた交換機は、
前記音声通信先に対する発呼を受信する発呼受信手段と、
前記音声通信先に対する発呼に基づいて前記呼び出し音の信号を前記通信端末装置に向けて送信する呼び出し音送信手段と、を備えることを特徴とする音声品質測定システム。
【請求項９】
請求項１の音声品質測定システムにおいて、
前記通信網に設けられた交換機に接続され通信端末装置ごとに又は通信端末装置の利用者ごとに選択して設定可能な複数種類の呼び出し音が格納されたデータベースを有するサービス提供装置と、音声品質情報を管理するサーバと、を備え、
前記通信端末装置は、
音声品質測定用の音声信号として使用される前記呼び出し音の音源ファイルを記憶する音源ファイル記憶手段と、
前記交換機に向けて音声通信先に対する発呼を行う発呼手段と、
前記音声通信先に対する発呼に基づいて前記交換機から送信されてきた呼び出し音の信号を受信する音声信号受信手段と、
前記交換機から受信した呼び出し音を録音する録音手段と、
前記録音手段で録音した呼び出し音の録音ファイルを記憶する録音ファイル記憶手段と、
前記音源ファイルの呼び出し音と前記録音ファイルの呼び出し音とを比較し、その比較結果に基づいて音声品質の評価値を計算する音声品質計算手段と、
前記計算した音声品質の評価値を前記サーバに送信する音声品質送信手段と、を備えることを特徴とする音声品質測定システム。
【請求項１０】
請求項１の音声品質測定システムにおいて、
前記通信網に設けられた交換機に接続され通信端末装置ごとに又は通信端末装置の利用者ごとに選択して設定可能な複数種類の呼び出し音が格納されたデータベースを有するサービス提供装置と、音声品質情報を管理するサーバと、を備え、
前記通信端末装置は、
前記交換機に向けて音声通信先に対する発呼を行う発呼手段と、
前記音声通信先に対する発呼に基づいて前記交換機から送信されてきた呼び出し音の信号を受信する音声信号受信手段と、
前記交換機から受信した呼び出し音を録音する録音手段と、
前記録音手段で録音した呼び出し音の録音ファイルを前記サーバに送信する録音ファイル送信手段と、を備え、
前記サーバは、
音声品質測定用の音声信号として使用される前記呼び出し音の音源ファイルを記憶する音源ファイル記憶手段と、
前記通信端末装置から前記録音ファイルを受信する録音ファイル受信手段と、
前記音源ファイルの呼び出し音と前記通信端末装置から受信した録音ファイルの呼び出し音とを比較し、その比較結果に基づいて音声品質の評価値を計算する音声品質計算手段と、を備えることを特徴とする音声品質測定システム。
【請求項１１】
請求項８乃至１０のいずれかの音声品質測定システムにおいて、
前記音声品質計算手段は、前記呼び出し音の音声信号の受信時間が予め設定した所定時間以上か否かを判断し、前記呼び出し音の信号の受信時間が所定時間以上の場合にのみ前記音声品質の評価値を計算することを特徴とする音声品質測定システム。
【請求項１２】
基地局と交換機とを含むセル方式の移動通信網の該基地局との間で無線通信可能な通信端末装置と、該セル方式の移動通信網を含む通信網に設けられた通信網側装置と、を備え、該セル方式の移動通信網を介した音声通信の音声品質を測定する音声品質測定システムであって、
前記通信網側装置は、
前記通信端末装置と音声通信先との間の通話の音声通信中に、前記音声通信先から前記通信端末装置に向けて送信されている音声信号を録音した音声信号の録音ファイル、又は前記音声通信先から前記通信端末装置に向けて送信されている音声データに基づいて作成した音声信号の録音ファイルを、音声品質測定用の音声信号の音源録音ファイルとして記憶する音源録音ファイル記憶手段と、
前記音声信号の音源録音ファイルを前記通信端末装置に送信する音源録音ファイル送信手段と、を備え、
前記通信端末装置は、
前記音声信号の音源録音ファイルを前記通信網側装置から受信する音源録音ファイル受信手段と、
前記音声通信先との間の通話の音声通信中に、該音声通信先から受信した音声信号を録音する録音手段と、
前記録音手段で録音した音声信号の録音ファイルを測定対象録音ファイルとして記憶する測定対象録音ファイル記憶手段と、
前記音源録音ファイルの音声信号と前記測定対象録音ファイルの音声信号とを比較し、その比較結果に基づいて、前記セル方式の移動通信網を介した前記通信網側装置から前記通信端末装置までの下り方向における音声通信の音声品質の評価値を計算する音声品質計算手段と、を備えることを特徴とする音声品質測定システム。
【請求項１３】
基地局と交換機とを含むセル方式の移動通信網の該基地局との間で無線通信可能な通信端末装置と、該セル方式の移動通信網を含む通信網に設けられた通信網側装置と、を備え、該セル方式の移動通信網を介した音声通信の音声品質を測定する音声品質測定システムであって、
前記通信端末装置は、
音声通信先との間の通話の音声通信中に、該音声通信先から受信した音声信号を録音する録音手段と、
前記録音手段で録音した録音ファイルを測定対象録音ファイルとして前記通信網側装置に送信する測定対象録音ファイル送信手段と、を備え、
前記通信網側装置は、
前記通信端末装置と音声通信先との間の通話の音声通信中に、前記音声通信先から前記通信端末装置に向けて送信されている音声信号を録音した音声信号の録音ファイル、又は前記音声通信先から前記通信端末装置に向けて送信されている音声データに基づいて作成した音声信号の録音ファイルを、音声品質測定用の音声信号の音源録音ファイルとして記憶する音源録音ファイル記憶手段と、
前記通信端末装置から前記測定対象録音ファイルを受信する測定対象録音ファイル受信手段と、
前記音源録音ファイルの音声信号と前記測定対象録音ファイルの音声信号とを比較し、その比較結果に基づいて、前記セル方式の移動通信網を介した前記通信網側装置から前記通信端末装置までの下り方向における音声通信の音声品質の評価値を計算する音声品質計算手段と、を備えることを特徴とする音声品質測定システム。
【請求項１４】
基地局と交換機とを含むセル方式の移動通信網の該基地局との間で無線通信可能な通信端末装置と、該セル方式の移動通信網を含む通信網に設けられた通信網側装置と、を備え、該セル方式の移動通信網を介した音声通信の音声品質を測定する音声品質測定システムであって、
前記通信網側装置は、
前記通信端末装置と音声通信先との間の通話の音声通信中に、前記通信端末装置から前記音声通信先に向けて送信されている音声信号を録音した音声信号の録音ファイル、又は前記通信端末装置から前記音声通信先に向けて送信されている音声データに基づいて作成した音声信号の録音ファイルを、音声品質測定用の音声信号の測定対象録音ファイルとして記憶する測定対象録音ファイル記憶手段と、
前記音声信号の測定対象録音ファイルを前記通信端末装置に送信する測定対象録音ファイル送信手段と、を備え、
前記通信端末装置は、
前記音声信号の測定対象録音ファイルを前記通信網側装置から受信する測定対象録音ファイル受信手段と、
前記音声通信先との間の通話の音声通信中に、該音声通信先に向けて送信する音声信号を録音する録音手段と、
前記録音手段で録音した録音ファイルを音源録音ファイルとして記憶する音源録音ファイル記憶手段と、
前記音源録音ファイルの音声信号と前記測定対象録音ファイルの音声信号とを比較し、その比較結果に基づいて、前記セル方式の移動通信網を介した前記通信端末装置から前記通信網側装置までの上り方向における音声通信の音声品質の評価値を計算する音声品質計算手段と、を備えることを特徴とする音声品質測定システム。
【請求項１５】
基地局と交換機とを含むセル方式の移動通信網の該基地局との間で無線通信可能な通信端末装置と、該セル方式の移動通信網を含む通信網に設けられた通信網側装置と、を備え、該セル方式の移動通信網を介した音声通信の音声品質を測定する音声品質測定システムであって、
前記通信端末装置は、
音声通信先との間の通話の音声通信中に、該音声通信先に向けて送信する音声信号を録音する録音手段と、
前記録音手段で録音した録音ファイルを音源録音ファイルとして前記通信網側装置に送信する音源録音ファイル送信手段と、を備え、
前記通信網側装置は、
前記通信端末装置と音声通信先との間の通話の音声通信中に、前記通信端末装置から前記音声通信先に向けて送信されている音声信号を録音した音声信号の録音ファイル、又は前記通信端末装置から前記音声通信先に向けて送信されている音声データに基づいて作成した音声信号の録音ファイルを、音声品質測定用の音声信号の測定対象録音ファイルとして記憶する測定対象録音ファイル記憶手段と、
前記通信端末装置から前記音源録音ファイルを受信する音源録音ファイル受信手段と、
前記音源録音ファイルの音声信号と前記測定対象録音ファイルの音声信号とを比較し、その比較結果に基づいて、前記セル方式の移動通信網を介した前記通信端末装置から前記通信網側装置までの上り方向における音声通信の音声品質の評価値を計算する音声品質計算手段と、を備えることを特徴とする音声品質測定システム。
【請求項１６】
請求項１２乃至１５のいずれかの音声品質測定システムにおいて、
前記通信端末装置と音声通信先との間の通話の音声通信で送受信された音声信号における音声品質測定対象を特定するための条件が予め設定され、
前記条件を満たす音声信号の範囲について前記音声品質の評価値を計算することを特徴とする音声品質測定システム。
【請求項１７】
請求項１乃至１６のいずれかの音声品質測定システムにおいて、
前記計算した音声品質の評価値を記憶する測定結果記憶手段を更に備えることを特徴とする音声品質測定システム。
【請求項１８】
請求項１７の音声品質測定システムにおいて、
前記測定結果記憶手段は、前記音声品質の評価値と、前記通信端末装置の音声品質測定時の所在位置情報、日時情報、通信事業者情報及び該通信端末装置における通信品質情報の少なくとも一つの情報とを互いに関連付けて記憶することを特徴とする音声品質測定システム。
【請求項１９】
請求項１７又は１８の音声品質測定システムにおいて、
前記測定結果記憶手段は、前記音声品質の評価値を計算できなかった場合、前記音声品質の評価値に代えて、前記音声品質の評価値を計算できなかった旨の情報を記憶することを特徴とする音声品質測定システム。
【請求項２０】
請求項１７乃至１９のいずれかの音声品質測定システムにおいて、
前記測定結果記憶手段は、前記音声品質の評価値と、当該音声品質の評価値の計算に用いた測定対象録音ファイル又はその識別情報と、当該音声品質の評価値の計算に用いた音源録音ファイル又はその識別情報とを互いに関連付けて記憶することを特徴とする音声品質測定システム。
【発明の詳細な説明】
【技術分野】
【０００１】
本発明は、通信網を介した通信の音声品質を測定する音声品質測定システムに関するものである。
【背景技術】
【０００２】
通信網を介して送受信される音声の品質は、発話時の環境雑音及び発話レベル、発話側の音声入力及び音声処理の性能、伝送品質、受話側の音声出力及び音声処理の性能、受話時の環境雑音及び受話レベルなど、様々な要因の影響を受ける。従来、このような音声の品質を測定する音声品質測定システムとして、音声品質測定用の音源ファイルとアプリケーションとが予め組み込まれた測定専用の通信端末装置としての携帯電話機と、固定電話通信網に接続され音声品質測定用の音源ファイルが組み込まれた音声品質測定用のサーバとを備えたものが知られている。この音声品質測定システムでは、上記測定専用の携帯電話機を音声品質測定担当の専門スタッフが操作してサーバに発呼し、音声品質測定を要求する旨を伝える。サーバは、携帯電話機側からの要求を受けると、音源ファイルに基づいて音声信号を生成し、生成した音声信号を、固定電話通信網及び携帯電話通信網を介して通信端末装置に送信する。通信端末装置では、サーバから受信した音声信号を録音して録音ファイルとして保存し、録音ファイルの音声信号と音源ファイルの音声信号とを比較して音声品質を測定する。音声品質の測定結果は、例えば非特許文献１や非特許文献２で標準化されているＭＯＳ（Ｍｅａｎ  Ｏｐｉｎｉｏｎ  Ｓｃｏｒｅｓ）値として出力される。このＭＯＳ値は、評価対象の音声と基準音源の音声との比較結果に基づく多数の人間による５段階評価の評点（表１参照）の平均値に対応する計算値である。非特許文献１や非特許文献２は、このＭＯＳ値の算出を機械的に実現する国際標準方式である。
【０００３】
【表１】
0005878148.tif 000002
【発明の概要】
【発明が解決しようとする課題】
【０００４】
上記従来の音声品質測定システムでは、測定専用通信端末装置を使い、専門担当スタッフが音声品質測定のために特定サーバに発呼する特別な操作を行う必要がある。
【０００５】
本発明は以上の問題点に鑑みなされたものであり、その目的は、通信端末装置の利用者に音声品質測定のための特別な操作を要求することなく通常の音声通信の発呼時又は音声通信中に音声品質を測定することができる音声品質測定システムを提供することである。
【課題を解決するための手段】
【０００６】
本発明に係る音声品質測定システムは、通信網を介した音声通信の音声品質を測定する音声品質測定システムであって、音声品質測定用の音声信号の音源ファイルを記憶する音源ファイル記憶手段と、通信端末装置から音声通信先への音声通信の発呼に基づいて、前記音源ファイルの音声信号を前記通信網側から前記通信端末装置に又は前記通信端末装置から前記通信網側に送信する音声信号送信手段と、前記通信端末装置又は前記通信網側で受信された音声信号を録音する録音手段と、前記録音手段で録音した音声信号の録音ファイルを記憶する録音ファイル記憶手段と、前記音源ファイルの音声信号と前記録音ファイルの音声信号とを比較し、その比較結果に基づいて音声品質の評価値を計算する音声品質計算手段と、を備える。
この音声品質測定システムでは、通信端末装置から音声通信先への音声通信の発呼があったときに、その発呼に基づいて、音源ファイルの音声信号が通信網側から通信端末装置に又は通信端末装置から通信網側に送信される。この送信された音声信号は通信端末装置又は通信網側で受信され録音手段により録音され、録音手段で録音された音声信号の録音ファイルが記憶される。そして、音源ファイルの音声信号と録音ファイルの音声信号とが比較され、その比較結果に基づいて音声品質の評価値が計算される。従って、通信端末装置の利用者に音声品質測定のための特別な操作を要求することなく、通常の音声通信の発呼時に下り方向又は上り方向の音声品質を測定することができる。特に、通常の音声通信の発呼に合わせて、下り方向又は上り方向の音声品質測定を自動的にかつ音声通信の利用者に意識されずに行うことができる。
【０００７】
前記音声品質測定システムにおいて、通信端末装置と、該通信端末装置と通信可能な通信網側装置と、を備え、前記通信端末装置は、音声品質測定用の音声信号の音源ファイルを記憶する音源ファイル記憶手段と、前記通信網側装置に向けて音声通信先に対する音声通信の発呼を行う発呼手段と、前記通信網側装置から送信されてきた音声品質測定用の音声信号を受信する音声信号受信手段と、前記通信網側装置から受信した音声信号を録音する録音手段と、前記録音手段で録音した音声信号の録音ファイルを記憶する録音ファイル記憶手段と、前記音源ファイルの音声信号と前記録音ファイルの音声信号とを比較し、その比較結果に基づいて音声品質の評価値を計算する音声品質計算手段と、を備え、前記通信網側装置は、音声品質測定用の音声信号の音源ファイルを記憶する音源ファイル記憶手段と、前記音声品質測定用の音声信号を前記通信端末装置に向けて送信する音声信号送信手段と、を備えてもよい。
この音声品質測定システムでは、通信網側装置に対して通信端末装置から音声通信の発呼を行ったときに、その発呼に基づいて、音源ファイルの音声信号が通信網側装置から通信端末装置に送信される。通信端末装置は、通信網側装置から受信した音声信号を受信し、その録音ファイルを記憶し、音源ファイルの音声信号と録音ファイルの音声信号とを比較し、その比較結果に基づいて音声品質の評価値を計算する。従って、通信端末装置の利用者に音声品質測定のための特別な操作を要求することなく、通信端末装置から通信網側装置に向けた通常の音声通信の発呼時に下り方向の音声品質を測定することができる。特に、通常の音声通信の発呼に合わせて、通信端末装置が下り方向の音声品質測定を自動的にかつ音声通信の利用者に意識されずに行うことができる。
また、前記音声品質測定システムにおいて、通信端末装置と、該通信端末装置と通信可能な通信網側装置と、を備え、前記通信端末装置は、前記通信網側装置に向けて音声通信先に対する音声通信の発呼を行う発呼手段と、前記通信網側装置から送信されてきた音声品質測定用の音声信号を受信する音声信号受信手段と、前記通信網側装置から受信した音声信号を録音する録音手段と、前記録音手段で録音した音声信号の録音ファイルを前記通信網側装置に送信する録音ファイル送信手段と、を備え、前記通信網側装置は、音声品質測定用の音声信号の音源ファイルを記憶する音源ファイル記憶手段と、前記音声品質測定用の音声信号を前記通信端末装置に向けて送信する音声信号送信手段と、前記通信端末装置から送信されてきた音声信号の録音ファイルを受信する録音ファイル受信手段と、前記通信端末装置から受信した録音ファイルを記憶する録音ファイル記憶手段と、前記音源ファイルの音声信号と前記録音ファイルの音声信号とを比較し、その比較結果に基づいて音声品質の評価値を計算する音声品質計算手段と、を備える。
この音声品質測定システムでは、通信網側装置に対して通信端末装置から音声通信の発呼を行ったときに、その発呼に基づいて、音源ファイルの音声信号が通信網側装置から通信端末装置に送信される。通信端末装置は、通信網側装置から送信されてきた音声品質測定用の音声信号を受信して録音し、録音した音声信号の録音ファイルを通信網側装置に送信する。通信網側装置は、通信端末装置から受信した録音ファイルの音声信号と、音源ファイルの音声信号とを比較し、その比較結果に基づいて音声品質の評価値を計算する。従って、通信端末装置の利用者に音声品質測定のための特別な操作を要求することなく、通信端末装置から通信網側装置に向けた通常の音声通信の発呼時に下り方向の音声品質を測定することができる。特に、通常の音声通信の発呼に合わせて、通信網側装置が下り方向の音声品質測定を自動的にかつ音声通信の利用者に意識されずに行うことができる。更に、音声品質の評価値の計算を通信網側装置で行っているので、通信端末装置の負荷を軽減することができる。
また、前記音声品質測定システムにおいて、通信端末装置と、該通信端末装置と通信可能な通信網側装置と、を備え、前記通信端末装置は、音声品質測定用の音声信号の音源ファイルを記憶する音源ファイル記憶手段と、前記通信網側装置に向けて音声通信先に対する音声通信の発呼を行う発呼手段と、前記発呼とともに前記音声品質測定用の音声信号を前記通信端末装置に向けて送信する音声信号送信手段と、前記通信網側装置から前記音声品質測定用の音声信号を録音した録音ファイルを受信する録音ファイル受信手段と、前記音源ファイルの音声信号と前記録音ファイルの音声信号とを比較し、その比較結果に基づいて音声品質の評価値を計算する音声品質計算手段と、を備え、前記通信網側装置は、前記通信端末装置から送信されてきた音声品質測定用の音声信号を受信する音声信号受信手段と、前記通信端末装置から受信した音声信号を録音する録音手段と、前記録音手段で録音した音声信号の録音ファイルを前記通信端末装置に送信する録音ファイル送信手段と、を備えてもよい。
この音声品質測定システムでは、通信網側装置に対して通信端末装置から音声通信の発呼を行ったときに、その発呼とともに、音源ファイルの音声信号が通信端末装置から通信網側装置に送信される。通信網側装置は、通信端末装置から送信されてきた音声品質測定用の音声信号を受信して録音し、その録音した音声信号の録音ファイルを通信端末装置に送信する。通信端末装置は、音源ファイルの音声信号と通信網側装置から受信した録音ファイルの音声信号とを比較し、その比較結果に基づいて音声品質の評価値を計算する。従って、通信端末装置の利用者に音声品質測定のための特別な操作を要求することなく、通信端末装置から通信網側装置に向けた通常の音声通信の発呼時に上り方向の音声品質を測定することができる。特に、通常の音声通信の発呼に合わせて、通信端末装置が上り方向の音声品質測定を自動的にかつ音声通信の利用者に意識されずに行うことができる。
また、前記音声品質測定システムにおいて、通信端末装置と、該通信端末装置と通信可能な通信網側装置と、を備え、前記通信端末装置は、音声品質測定用の音声信号の音源ファイルを記憶する音源ファイル記憶手段と、前記通信網側装置に向けて音声通信先に対する音声通信の発呼を行う発呼手段と、前記発呼とともに前記音声品質測定用の音声信号を前記通信網側装置に向けて送信する音声信号送信手段と、を備え、前記通信網側装置は、音声品質測定用の音声信号の音源ファイルを記憶する音源ファイル記憶手段と、前記通信端末装置から送信されてきた音声品質測定用の音声信号を受信する音声信号受信手段と、前記通信端末装置から受信した音声信号を録音する録音手段と、前記録音手段で録音した音声信号の録音ファイルを記憶する録音ファイル記憶手段と、前記音源ファイルの音声信号と前記録音ファイルの音声信号とを比較し、その比較結果に基づいて音声品質の評価値を計算する音声品質計算手段と、を備えてもよい。
この音声品質測定システムでは、通信端末装置から通信網側装置に音声通信の発呼を行ったときに、その発呼とともに、音声品質測定用の音声信号が通信端末装置から通信網側装置に送信される。通信網側装置は、通信端末装置から送信されてきた音声品質測定用の音声信号を受信して録音し、録音した音声信号の録音ファイルを記憶する。そして、通信網側装置は、音源ファイルの音声信号と録音ファイルの音声信号とを比較し、その比較結果に基づいて音声品質の評価値を計算する。従って、通信端末装置の利用者に音声品質測定のための特別な操作を要求することなく、通信端末装置からサービス提供装置に向けた通常の音声通信の発呼時に上り方向の音声品質を測定することができる。特に、通常の音声通信の発呼に合わせて、通信網側装置が上り方向の音声品質測定を自動的にかつ音声通信の利用者に意識されずに行うことができる。更に、音声品質の評価値の計算を通信網側装置で行っているので、通信端末装置の負荷を軽減することができる。
また、前記音声品質測定システムにおいて、前記通信網側装置に向けて行われる前記通信端末装置から音声通信先への発呼は、該通信網側装置の電話番号を含む第１の発呼と、前記通信網側装置から前記音声品質測定用の音声信号を受信した後又は該通信網側装置へ前記音声品質測定用の音声信号を送信した後における前記音声通信先の電話番号を含む第２の発呼とに分けて行ってもよい。この音声品質測定システムでは、通信網側装置において通信端末装置から音声通信先への発呼を保留にする必要がない。
また、前記音声品質測定システムにおいて、前記通信網側装置に向けて行われる前記通信端末装置から音声通信先への発呼は、該通信網側装置の電話番号と音声通信先の電話番号とを含み、前記通信網側装置は、前記通信端末装置から音声通信先への発呼を受けたとき、該発呼の転送をいったん保留にし、該通信網側装置から前記通信端末装置への前記音声品質測定用の音声信号の送信終了を検知した後又は前記通信端末装置から該通信網側装置への前記音声品質測定用の音声信号の送信終了を検知した後、前記通信端末装置から前記音声通信先への発呼の転送を開始してもよい。この音声品質測定システムでは、通信端末装置から通信網側に向けた音声通信の発呼が１回で済む。
【０００８】
また、前記音声品質測定システムにおいて、通信端末装置と、交換機とを備え、前記通信端末装置は、音声品質測定用の音声信号として使用可能な呼び出し音の音源ファイルを記憶する音源ファイル記憶手段と、前記交換機に向けて音声通信先に対する音声通信の発呼を行う発呼手段と、前記音声通信先に対する発呼に基づいて前記交換機から送信されてきた呼び出し音の信号を受信する呼び出し音受信手段と、前記交換機から受信した呼び出し音を録音する録音手段と、前記録音手段で録音した呼び出し音の録音ファイルを記憶する録音ファイル記憶手段と、前記音源ファイルの呼び出し音と前記録音ファイルの呼び出し音とを比較し、その比較結果に基づいて音声品質の評価値を計算する音声品質計算手段と、を備え、前記交換機は、前記音声通信先に対する発呼を受信する発呼受信手段と、前記音声通信先に対する発呼に基づいて前記呼び出し音の信号を前記通信端末装置に向けて送信する呼び出し音送信手段と、を備えてもよい。この音声品質測定システムでは、音声通信先に対する通常の発呼時に交換機から通信端末装置に送信される呼び出し音を流用して下り方向の音声品質の測定が可能になる。また、通信端末装置が音声通信先に対して発呼している通常の発呼中に、音声品質の測定に使用可能な呼び出し音の信号を受信できるため、音声品質の測定に用いる音声信号を受信するための時間を別途確保する必要もない。
また、前記音声品質測定システムにおいて、前記通信端末装置の音声品質計算手段は、前記呼び出し音の信号の受信時間が予め設定した所定時間以上か否かを判断し、前記呼び出し音の信号の受信時間が所定時間以上の場合にのみ前記音声品質の評価値を計算してもよい。この音声品質測定システムでは、長さが不十分な呼び出し音の信号を用いて音声品質の評価値が計算されるのを回避できるため、音声品質の評価値の計算精度が向上する。なお、前記呼び出し音の信号の受信時間と比較される所定時間の設定値は動的に変更してもよい。
【０００９】
また、前記音声品質測定システムにおいて、通信端末装置と、交換機と、前記交換機に接続され通信端末装置ごとに又は通信端末装置の利用者ごとに選択して設定可能な複数種類の呼び出し音が格納されたデータベースを有するサービス提供装置と、音声品質情報を管理するサーバと、を備え、前記通信端末装置は、音声品質測定用の音声信号として使用される前記呼び出し音の音源ファイルを記憶する音源ファイル記憶手段と、前記交換機に向けて音声通信先に対する音声通信の発呼を行う発呼手段と、前記音声通信先に対する発呼に基づいて前記交換機から送信されてきた呼び出し音の信号を受信する音声信号受信手段と、前記交換機から受信した呼び出し音を録音する録音手段と、前記録音手段で録音した呼び出し音の録音ファイルを記憶する録音ファイル記憶手段と、前記音源ファイルの呼び出し音と前記録音ファイルの呼び出し音とを比較し、その比較結果に基づいて音声品質の評価値を計算する音声品質計算手段と、前記計算した音声品質の評価値を前記サーバに送信する音声品質送信手段と、を備えてもよい。
この音声品質測定システムでは、通信端末装置から音声通信先への通常の発呼時に交換機から送信されてくる、当該通信端末装置又はその利用者に対して設定された呼び出し音を流用して下り方向の音声品質の測定が可能になる。また、通信端末装置が音声通信先に対して発呼している通常の発呼中に、音声品質の測定に使用可能な呼び出し音の信号を受信できるため、音声品質の測定に用いる信号を受信するための時間を別途確保する必要もない。
また、前記音声品質測定システムにおいて、通信端末装置と、交換機と、前記交換機に接続され通信端末装置ごとに又は通信端末装置の利用者ごとに選択して設定可能な複数種類の呼び出し音が格納されたデータベースを有するサービス提供装置と、音声品質情報を管理するサーバと、を備え、前記通信端末装置は、前記交換機に向けて音声通信先に対する音声通信の発呼を行う発呼手段と、前記音声通信先に対する発呼に基づいて前記交換機から送信されてきた呼び出し音の信号を受信する音声信号受信手段と、前記交換機から受信した呼び出し音を録音する録音手段と、前記録音手段で録音した録音ファイルを前記サーバに送信する録音ファイル送信手段と、を備え、前記サーバは、音声品質測定用の音声信号として使用される前記呼び出し音の音源ファイルを記憶する音源ファイル記憶手段と、前記通信端末装置から前記録音ファイルを受信する録音ファイル受信手段と、前記音源ファイルの呼び出し音と前記通信端末装置から受信した録音ファイルの呼び出し音とを比較し、その比較結果に基づいて音声品質の評価値を計算する音声品質計算手段と、を備え、前記交換機は、前記音声通信先に対する発呼を受信する発呼受信手段と、前記音声通信先に対する発呼に基づいて前記サービス提供装置にアクセスして前記データベースを検索し当該通信端末装置又はその利用者に対して設定された呼び出し音の信号を前記通信端末装置に向けて送信する呼び出し音送信手段と、を備えてもよい。
この音声品質測定システムでは、通信端末装置から音声通信先への通常の発呼時に交換機から送信されてくる、当該通信端末装置又はその利用者に対して設定された呼び出し音を流用して下り方向の音声品質の測定が可能になる。また、通信端末装置が音声通信先に対して発呼している通常の発呼中に、音声品質の測定に使用可能な呼び出し音の信号を受信できるため、音声品質の測定に用いる信号を受信するための時間を別途確保する必要もない。更に、音声品質の評価値の計算をサーバで行っているので、通信端末装置の負荷を軽減することができる。
また、前記音声品質測定システムにおいて、前記音声品質計算手段は、前記呼び出し音の信号の受信時間が予め設定した所定時間以上か否かを判断し、前記呼び出し音の信号の受信時間が所定時間以上の場合にのみ前記音声品質の評価値を計算してもよい。この音声品質測定システムでは、長さが不十分な呼び出し音の信号を用いて音声品質の評価値が計算されるのを回避できるため、音声品質の評価値の測定精度が向上する。なお、前記呼び出し音の信号の受信時間と比較される所定時間の設定値は動的に変更してもよい。
【００１０】
本発明に係る他の音声品質測定システムは、通信網を介した音声通信の音声品質を測定する音声品質測定システムであって、通信端末装置と、前記通信端末装置と通信可能な通信網側装置と、を備え、前記通信網側装置は、前記通信端末装置と音声通信先との間の音声通信中に、前記音声通信先から前記通信端末装置に向けて送信されている音声信号を録音した音声信号の録音ファイル、又は前記音声通信先から前記通信端末装置に向けて送信されている音声データに基づいて作成した音声信号の録音ファイルを、音声品質測定用の音声信号の音源録音ファイルとして記憶する音源録音ファイル記憶手段と、前記音声信号の音源録音ファイルを前記通信端末装置に送信する音源録音ファイル送信手段と、を備え、前記通信端末装置は、前記音声信号の音源録音ファイルを前記通信網側装置から受信する音源録音ファイル受信手段と、前記音声通信先との間の音声通信中に、該音声通信先から受信した音声信号を録音する録音手段と、前記録音手段で録音した音声信号の録音ファイルを測定対象録音ファイルとして記憶する測定対象録音ファイル記憶手段と、前記音源録音ファイルの音声信号と前記測定対象録音ファイルの音声信号とを比較し、その比較結果に基づいて音声品質の評価値を計算する音声品質計算手段と、を備える。
この音声品質測定システムでは、通信網側装置が、通信端末装置と音声通信先との間の音声通信中に、音声通信先から通信端末装置に向けて送信されている音声信号を録音した音声信号の録音ファイル、又は音声通信先から通信端末装置に向けて送信されている音声データに基づいて作成した音声信号の録音ファイルを、音声品質測定用の音声信号の音源録音ファイルとして記憶し、その音声信号の音源録音ファイルを通信端末装置に送信する。通信端末装置は、音声通信先との間の音声通信中に、その音声通信先から受信した音声信号を録音して測定対象録音ファイルとして記憶し、音源録音ファイルの音声信号と通信網側装置から受信した測定対象録音ファイルの音声信号とを比較し、その比較結果に基づいて音声品質の評価値を計算する。従って、通信端末装置の利用者に音声品質測定のための特別な操作を要求することなく、通常の音声通信中に通信端末装置が下り方向の音声品質を測定することができる。特に、通常の音声通信中に、通信端末装置が下り方向の音声品質測定を自動的にかつ音声通信の利用者に意識されずに行うことができる。
また、本発明に係る更に他の音声品質測定システムは、通信網を介した音声通信の音声品質を測定する音声品質測定システムであって、通信端末装置と、前記通信端末装置と通信可能な通信網側装置と、を備え、前記通信端末装置は、音声通信先との間の音声通信中に、該音声通信先から受信した音声信号を録音する録音手段と、前記録音手段で録音した録音ファイルを測定対象録音ファイルとして前記通信網側装置に送信する測定対象録音ファイル送信手段と、を備え、前記通信網側装置は、前記通信端末装置と音声通信先との間の音声通信中に、前記音声通信先から前記通信端末装置に向けて送信されている音声信号を録音した音声信号の録音ファイル、又は前記音声通信先から前記通信端末装置に向けて送信されている音声データに基づいて作成した音声信号の録音ファイルを作成し、音声品質測定用の音声信号の音源録音ファイルとして記憶する音源録音ファイル記憶手段と、前記通信端末装置から前記測定対象録音ファイルを受信する測定対象録音ファイル受信手段と、前記音源録音ファイルの音声信号と前記測定対象録音ファイルの音声信号とを比較し、その比較結果に基づいて音声品質の評価値を計算する音声品質計算手段と、を備える。
この音声品質測定システムでは、通信端末装置が、通常の音声通信先との間の音声通信中に、音声通信先から受信した音声信号を録音して測定対象録音ファイルとして通信網側装置に送信する。通信網側装置は、通信端末装置と音声通信先との間の音声通信中に、音声通信先から通信端末装置に向けて送信されている音声信号を録音した音声信号の録音ファイル、又は前記音声通信先から前記通信端末装置に向けて送信されている音声データに基づいて作成した音声信号の録音ファイルを、音声品質測定用の音声信号の音源録音ファイルとして記憶し、通信端末装置から測定対象録音ファイルを受信する。そして、通信網側装置は、音源録音ファイルの音声信号と通信端末装置から受信した測定対象録音ファイルの音声信号とを比較し、その比較結果に基づいて音声品質の評価値を計算する。従って、通信端末装置の利用者に音声品質測定のための特別な操作を要求することなく、通常の音声通信中にサーバが下り方向の音声品質を測定することができる。特に、通常の音声通信中に、通信端末装置が下り方向の音声品質測定を自動的にかつ音声通信の利用者に意識されずに行うことができる。更に、音声品質の評価値の計算を通信網側装置で行っているので、通信端末装置の負荷を軽減することができる。
また、本発明に係る更に他の音声品質測定システムは、通信網を介した音声通信の音声品質を測定する音声品質測定システムであって、通信端末装置と、前記通信端末装置と通信可能な通信網側装置と、を備え、前記通信網側装置は、前記通信端末装置と音声通信先との間の音声通信中に、前記通信端末装置から前記音声通信先に向けて送信されている音声信号を録音した音声信号の録音ファイル、又は前記音声通信端末装置から前記音声通信先に向けて送信されている音声データに基づいて作成した音声信号の録音ファイルを、音声品質測定用の音声信号の測定対象録音ファイルとして記憶する測定対象録音ファイル記憶手段と、前記音声信号の測定対象録音ファイルを前記通信端末装置に送信する測定対象録音ファイル送信手段と、を備え、前記通信端末装置は、前記音声信号の測定対象録音ファイルを前記通信網側装置から受信する測定対象録音ファイル受信手段と、前記音声通信先との間の音声通信中に、該音声通信先に向けて送信する音声信号を録音する録音手段と、前記録音手段で録音した録音ファイルを音源録音ファイルとして記憶する音源録音ファイル記憶手段と、前記音源録音ファイルの音声信号と前記測定対象録音ファイルの音声信号とを比較し、その比較結果に基づいて音声品質の評価値を計算する音声品質計算手段と、を備える。
この音声品質測定システムでは、通信網側装置が、通信端末装置と音声通信先との間の音声通信中に、通信端末装置から音声通信先に向けて送信されている音声信号を録音した音声信号の録音ファイル、又は音声通信端末装置から音声通信先に向けて送信されている音声データに基づいて作成した音声信号の録音ファイルを、音声品質測定用の音声信号の測定対象録音ファイルとして記憶し、その音声信号の測定対象録音ファイルを通信端末装置に送信する。通信端末装置は、音声通信先との間の音声通信中に、その音声通信先に向けて送信する音声信号を録音して記憶し、音源録音ファイルの音声信号と測定対象録音ファイルの音声信号とを比較し、その比較結果に基づいて音声品質の評価値を計算する。従って、通信端末装置の利用者に音声品質測定のための特別な操作を要求することなく、通常の音声通信中に通信端末装置が上り方向の音声品質を測定することができる。特に、通常の音声通信中に、通信端末装置が上り方向の音声品質測定を自動的にかつ音声通信の利用者に意識されずに行うことができる。
また、本発明に係る更に他の音声品質測定システムは、通信網を介した音声通信の音声品質を測定する音声品質測定システムであって、通信端末装置と、前記通信端末装置と通信可能な通信網側装置と、を備え、前記通信端末装置は、音声通信先との間の音声通信中に、該音声通信先に向けて送信する音声信号を録音する録音手段と、前記録音手段で録音した録音ファイルを音源録音ファイルとして前記通信網側装置に送信する音源録音ファイル送信手段と、を備え、前記通信網側装置は、前記通信端末装置と音声通信先との間の音声通信中に、前記通信端末装置から前記音声通信先に向けて送信されている音声信号を録音した音声信号の録音ファイル、又は前記通信端末装置から前記音声通信先に向けて送信されている音声データに基づいて作成した音声信号の録音ファイルを、音声品質測定用の音声信号の測定対象録音ファイルとして記憶する測定対象録音ファイル記憶手段と、前記通信端末装置から前記音源録音ファイルを受信する音源録音ファイル受信手段と、前記音源録音ファイルの音声信号と前記測定対象録音ファイルの音声信号とを比較し、音声品質の評価値を計算する音声品質計算手段と、を備える。
この音声品質測定システムでは、通信端末装置が、音声通信先との間の音声通信中に、音声通信先に向けて送信する音声信号を録音して音源録音ファイルとして通信網側装置に送信する。通信網側装置は、通信端末装置と音声通信先との間の音声通信中に、通信端末装置から音声通信先に向けて送信されている音声信号を録音した音声信号の録音ファイル、又は通信端末装置から音声通信先に向けて送信されている音声データに基づいて作成した音声信号の録音ファイルを、音声品質測定用の音声信号の測定対象録音ファイルとして記憶し、通信端末装置から音源録音ファイルを受信する。そして、通信網側装置は、音源録音ファイルの音声信号と測定対象録音ファイルの音声信号とを比較し、その比較結果に基づいて音声品質の評価値を計算する。従って、通信端末装置の利用者に音声品質測定のための特別な操作を要求することなく、通常の音声通信中に通信網側装置が上り方向の音声品質を測定することができる。特に、通常の音声通信中に、通信端末装置が上り方向の音声品質測定を自動的にかつ音声通信の利用者に意識されずに行うことができる。更に、音声品質の評価値の計算を通信網側装置で行っているので、通信端末装置の負荷を軽減することができる。
前記音声品質測定システムにおいて、前記通信端末装置と音声通信先との間の音声通信で送受信された音声信号における音声品質測定対象を特定するための条件が予め設定され、前記条件を満たす音声信号の範囲について前記音声品質の評価値を計算してもよい。
この音声品質測定システムでは、通信端末装置と音声通信先との間の音声通信で送受信された音声信号のうち互いに対応する範囲を正確に抽出して音声品質の評価値を計算できる。また、音声品質の評価値の計算のために必要な音声信号の長さやノイズレベルなど所定の条件を満たす音声信号を抽出して音声品質の評価値を計算できる。よって、音声品質の評価値の精度をより高めることができる。
【００１１】
前記音声品質測定システムにおいて、前記計算した音声品質の評価値を記憶する測定結果記憶手段を更に備えてもよい。この音声品質測定システムでは、音声品質の評価値を任意のタイミングで読み出して様々な用途に用いることができる。
また、前記音声品質測定システムにおいて、前記測定結果記憶手段は、前記音声品質の評価値と、前記通信端末装置の音声品質測定時の所在位置情報、日時情報、通信事業者情報及び該通信端末装置における通信品質情報の少なくとも一つの情報とを互いに関連付けて記憶してもよい。この音声品質測定システムでは、通信端末装置の音声品質測定時の所在位置情報、日時情報、通信事業者情報及び通信品質情報の少なくとも一つの情報と関連付けた音声品質の分析などが可能になる。
また、前記音声品質測定システムにおいて、前記測定結果記憶手段は、前記音声品質の評価値を計算できなかった場合は、前記音声品質の評価値に代えて、前記音声品質の評価値を計算できなかった旨の情報を記憶してもよい。この音声品質測定システムでは、前記音声品質の評価値を計算できなかったことを考慮した音声品質の分析などが可能になる。
また、前記音声品質測定システムにおいて、前記測定結果記憶手段は、前記音声品質の評価値と、その音声品質の評価値の計算に用いた測定対象録音ファイル又はその識別情報と、その音声品質の評価値の計算に用いた音源録音ファイル又はその識別情報とを互いに関連付けて記憶してもよい。この音声品質測定システムでは、音声品質の評価値の計算に用いた音源録音ファイルに基づいて、音声品質の評価値の信頼性などを判断できる。
【発明の効果】
【００１２】
本発明によれば、通信端末装置の利用者に音声品質測定のための特別な操作を要求することなく、通常の音声通信の発呼時又は音声通信中に音声品質をに測定することができる。
【図面の簡単な説明】
【００１３】
【図１】本発明の第１の実施形態（実施形態１）に係る音声品質測定システムを含む通信システム全体の要部構成の一例を示す説明図。
【図２】実施形態１に係る音声品質測定システムにおける通信端末装置からの発呼時に行う下り方向の音声品質測定の一例を示すシーケンス図。
【図３】実施形態１に係る音声品質測定システムにおける通信端末装置からの発呼時に行う下り方向の音声品質測定の他の例を示すシーケンス図。
【図４】実施形態１に係る音声品質測定システムにおける通信端末装置からの発呼時に行う下り方向の音声品質測定の更に他の例を示すシーケンス図。
【図５】実施形態１に係る音声品質測定システムにおける通信端末装置からの発呼時に行う下り方向の音声品質測定の更に他の例を示すシーケンス図。
【図６】実施形態１に係る音声品質測定システムにおける通信端末装置からの発呼時に行う上り方向の音声品質測定の一例を示すシーケンス図。
【図７】実施形態１に係る音声品質測定システムにおける通信端末装置からの発呼時に行う上り方向の音声品質測定の他の例を示すシーケンス図。
【図８】実施形態１に係る音声品質測定システムにおける通信端末装置からの発呼時に行う上り方向の音声品質測定の更に他の例を示すシーケンス図。
【図９】実施形態１に係る音声品質測定システムにおける通信端末装置からの発呼時に行う上り方向の音声品質測定の更に他の例を示すシーケンス図。
【図１０】本発明の第２の実施形態（実施形態２）に係る音声品質測定システムを含む通信システム全体の要部構成の一例を示す説明図。
【図１１】実施形態２の音声品質測定システムにおける通信端末装置からの音声通信の発呼時に行う下り方向の音声品質測定処理の一例を示すシーケンス図。
【図１２】図１１の音声品質測定処理において発側の通信端末装置で実行されるＭＯＳ値の計算手順の一例を示すフローチャート。
【図１３】図１１の音声品質測定処理において発側の通信端末装置で実行されるＭＯＳ値の計算手順の他の例を示すフローチャート。
【図１４】本発明の第３の実施形態（実施形態３）に係る音声品質測定システムを含む通信システム全体の要部構成の一例を示す説明図。
【図１５】実施形態３の音声品質測定システムにおける通信端末装置からの音声通信の発呼時に行う下り方向の音声品質測定処理の一例を示すシーケンス図。
【図１６】実施形態３の音声品質測定システムにおける通信端末装置からの音声通信の発呼時に行う下り方向の音声品質測定処理の他の例を示すシーケンス図。
【図１７】本発明の第４の実施形態（実施形態４）に係る音声品質測定システムを含む通信システム全体の要部構成の一例を示す説明図。
【図１８】実施形態４の音声品質測定システムにおける通信端末装置の音声通信中に行う下り方向の音声品質測定処理の一例を示すシーケンス図。
【図１９】実施形態４の音声品質測定システムにおける通信端末装置の音声通信中に行う下り方向の音声品質測定処理の他の例を示すシーケンス図。
【図２０】実施形態４の音声品質測定システムにおける通信端末装置の音声通信中に行う上り方向の音声品質測定処理の一例を示すシーケンス図。
【図２１】実施形態４の音声品質測定システムにおける通信端末装置の音声通信中に行う上り方向の音声品質測定処理の他の例を示すシーケンス図。
【図２２】実施形態４の音声品質測定システムにおける通信端末装置の音声通信中に行う下り方向の音声品質測定処理の更に他の例を示すシーケンス図。
【図２３】実施形態４の音声品質測定システムにおける通信端末装置の音声通信中に行う下り方向の音声品質測定処理の更に他の例を示すシーケンス図。
【図２４】実施形態４の音声品質測定システムにおける通信端末装置の音声通信中に行う上り方向の音声品質測定処理の更に他の例を示すシーケンス図。
【図２５】実施形態４の音声品質測定システムにおける通信端末装置の音声通信中に行う上り方向の音声品質測定処理の更に他の例を示すシーケンス図。
【発明を実施するための形態】
【００１４】
以下、図面を参照して本発明の実施形態について説明する。
〔実施形態１〕
図１は、本発明の第１の実施形態（以下「実施形態１」という。）に係る音声品質測定システムを含む通信システム全体の要部構成の一例を示す説明図である。実施形態１の音声品質測定システムは、通信端末装置１００と、通信端末装置１００による音声通信について付加的なサービスを提供するための通信網側装置３００とを含む。本実施形態における通信網側装置３００は、通信網２００を介して通信端末装置１００と通信することができる。
【００１５】
通信端末装置１００は、例えば音声通信可能な携帯電話機、スマートフォン、ＰＨＳなどの移動通信端末やタブレットＰＣであり、交換機２１０や図示しない無線中継装置としての基地局などを有する移動通信網２００を介して、通信先と音声通信やデータ通信を行うことができる。例えば、通信端末装置１００は、移動通信網２００の無線通信エリアとしてのセルに在圏しているときに、他の移動通信網５００のセルに在圏している接続されている音声通信先としての携帯電話機、スマートフォン、ＰＨＳなどの移動通信端末やタブレットＰＣなどの通信端末装置９００と間で音声通信することができる。また、通信端末装置１００は、移動通信網２００のセルに在圏しているときに、他の固定通信網６００を介して音声通信先としての固定電話機９１０などの通信端末装置と間で音声通信することができる。上記セルは、例えば互いに大きさが異なるマクロセル、マイクロセル、フェムトセル、ピコセル等の各種セルのいずれかである。
【００１６】
通信網側装置３００は、インテリジェント交換機３１０と、サーバ３２０とを有し、通信端末装置１００による音声通信について付加的なサービスを提供するサービス提供装置である。通信網側装置３００は、例えば、発側の通信端末装置１００から外国又は国内の音声通信先への発呼時に、音声品質測定のための処理をバックグランドで実行する条件として、上記発呼対象の音声通信先との音声通信の利用料金を無料にする無料通話サービスを提供する。
【００１７】
インテリジェント交換機３１０は、既存の交換機をベースに、インテリジェント・ネットワーク（ＩＮ）における処理ノードによる無料電話サービスや、通過音声データの複製・録音等の機能を実現できる装置である。ここで、「インテリジェント・ネットワーク」とは、ネットワーク内に処理ノードと呼ぶコンピュータを設置し、その処理ノードにおけるデータベースや処理機能を使って高度（インテリジェント）な通信サービスを提供可能にしたネットワークである。既存の交換機はすべてソフトウェアで制御され、プロセッサ間は共通線信号網で結ばれているが、処理ノードも共通線信号網によって交換機のプロセッサと結ばれる。高度なサービス制御にかかわるソフトウェアを各プロセッサから処理ノードに移し、さらに機能ごとにモジュール化することにより、新サービスの導入と運用が効率的になる。インテリジェント・ネットワーク（ＩＮ）によるサービスの代表例はフリーダイヤルである。処理ノードでフリーダイヤル番号を通常の電話番号に変換して交換機に戻すことにより、交換機は通常通りに回線を接続できる。
【００１８】
サーバ３２０は、インテリジェント交換機３１０及び通信端末装置１００それぞれと通信可能に構成され、音声品質測定に関する各種処理を行うサーバである。例えば、サーバ３２０は、音声品質測定用の音声信号の音源ファイルや音声品質の測定結果の情報など格納して管理したり、音声品質測定用の音声信号を通信端末装置１００との間で送受信したり、音声品質の評価値としてのＭＯＳ値（非特許文献１、２参照）を計算したりする。
【００１９】
通信端末装置１００は、例えば、アンテナ、送信増幅器、受信増幅器、無線信号処理部、ベースバンド信号処理部、アプリケーション実行管理部、小型マイクなどからなる音声入力装置、スピーカー、レシーバ、振動発生器などからなる音声出力装置、ＬＣＤなどの表示部、主制御装置などで構成される。また、通信端末装置１００は、現在位置取得手段として、ＧＰＳを用いて自身の現在位置の情報を取得するＧＰＳ受信部を備える。また、通信端末装置１００は、ＣＣＤやＣＭＯＳ等のカメラデバイスなどからなる撮像部や、ジャイロセンサ、加速度センサ、磁気センサ等からなる姿勢検知部を備えてもよい。
【００２０】
主制御装置は、例えばＭＰＵ（Micro Processing Unit）などのマイクロプロセッサや、ＲＡＭ、ＲＯＭなどのメモリで構成され、予め組み込まれた所定の制御プログラムに基づいて各部を制御する。例えば、主制御装置は、所定の制御プログラムが実行されることにより、移動通信網２００を介したインテリジェント交換機３１０や他の通信端末装置９００、９１０との間における音声通信の処理及び制御、移動通信網２００を介したサーバ３２０との間における音声品質測定用の音声信号や音声品質の評価値の送受信処理及び制御、音声品質の評価値の計算処理などを行うことができる。
【００２１】
また、通信端末装置１００は、主制御装置のネイティブ環境上で各種アプリケーションのプログラムを実行したり、アプリケーション実行管理部で構築される仮想環境上で各種アプリケーションのプログラムを実行したりすることができる。ここで、「アプリケーション」とは、ブラウザ、電話、カメラ、検索、メール、情報配信、カレンダー、時計、音楽再生、地図表示、データフォルダ、メッセージの通信、動画再生等の様々な用途に応用することができるソフトウェアを意味し、「アプリケーションソフトウェア」とも呼ばれる。また、「アプリケーション」は、各種言語で開発された実行プログラムのファイルや、プログラム実行時等に用いられたり参照されたりする設定情報及び画像などのファイルなどの集合体である。
【００２２】
アプリケーション実行管理部は、例えば、アプリケーションの実行に用いられるプログラムモジュールやライブラリを管理する。また、アプリケーション実行管理部は、Ａｎｄｏｒｏｉｄ（登録商標）アプリケーション、ｉＯＳ（登録商標）アプリケーション、Ｗｉｎｄｏｗｓ（登録商標）アプリケーション、Ｊａｖａ（登録商標）アプリケーションなどの複数種類のアプリケーションのいずれか一つ又は二以上を実行するためのフレームワーク（例えば、Ａｎｄｒｏｉｄフレームワーク、ｉＯＳ  フレームワーク、など）や、Ｄａｌｖｉｋ（登録商標）  ＶＭやＪａｖａ  ＶＭなどの仮想実行環境（仮想マシン）を構築する。また、アプリケーション実行管理部は、複数のアプリケーションを並列実行することができるマルチタスク機能を有するように構成されている。
【００２３】
インテリジェント交換機３１０は、例えば、ＭＰＵやメモリ等を有するコンピュータ装置、外部通信インターフェース部などのハードウェアを用いて構成され、所定のプログラムが実行されることにより無料通話サービスを提供するための各種処理を行うことができる。
【００２４】
サーバ３２０は、例えば、ＭＰＵやメモリ等を有するコンピュータ装置、外部通信インターフェース部などのハードウェアを用いて構成され、所定のプログラムが実行されることにより音声品質測定のための各種処理を行うことができる。
【００２５】
実施形態１の音声品質測定の一例において、通信端末装置１００の主制御装置は、通信網側装置３００から受信した音声信号を録音する録音手段、録音した録音ファイルを記憶する録音ファイル記憶手段、音源ファイルの音声信号と録音ファイルの音声信号とを比較し、その比較結果に基づいて音声品質の評価値を計算する音声品質計算手段、及び、音声品質測定用の音声信号の音源ファイルを記憶する音源ファイル記憶手段の各手段としても機能する。
また、通信端末装置１００の主制御装置、アンテナ、送信増幅器、受信増幅器、無線信号処理部、ベースバンド信号処理部などは、通信網側装置３００に向けて音声通信先に対する音声通信の発呼を行う発呼手段、通信網側装置３００から送信されてきた音声品質測定用の音声信号を受信する音声信号受信手段、及び、録音した音声信号の録音ファイルを通信網側装置３００に送信する録音ファイル送信手段の各手段としても機能する。
また、インテリジェント交換機３１０のコンピュータ装置及び外部通信インターフェース部は、通信端末装置１００からの発呼を受信したとき、音声品質の測定を指示する指令をサーバ３２０に送信する測定指令送信手段、及び、サーバ３２０から送信されてきた音声品質測定用の音声信号を通信端末装置１００に転送する音声信号転送手段の各手段としても機能する。
また、サーバ３２０のコンピュータ装置及び外部通信インターフェース部は、音声品質測定用の音声信号の音源ファイルを記憶する音源ファイル記憶手段、音声品質の測定を指示する指令をインテリジェント交換機３１０から受信する測定指令受信手段、インテリジェント交換機３１０から受信した指令に基づいて、音声品質測定用の音声信号を通信端末装置１００に向けて送信する音声信号送信手段、通信端末装置１００から送信されてきた音声信号の録音ファイルを受信する録音ファイル受信手段、通信端末装置１００から受信した録音ファイルを記憶する録音ファイル記憶手段、及び、音源ファイルの音声信号と録音ファイルの音声信号とを比較し、その比較結果に基づいて音声品質の評価値を計算する音声品質計算手段の各手段としても機能する。
【００２６】
実施形態１の音声品質測定の他の例において、通信端末装置１００の主制御装置は、音声品質測定用の音声信号の音源ファイルを記憶する音源ファイル記憶手段、及び、音源ファイルの音声信号と録音ファイルの音声信号とを比較し、その比較結果に基づいて音声品質の評価値を計算する音声品質計算手段としても機能する。また、通信端末装置１００の主制御装置、アンテナ、送信増幅器、受信増幅器、無線信号処理部、ベースバンド信号処理部などは、通信網側装置３００に向けて音声通信先に対する音声通信の発呼を行う発呼手段、及び、前記発呼とともに音声品質測定用の音声信号をサーバ３２０に向けて送信する音声信号送信手段の各手段としても機能する。
また、インテリジェント交換機３１０のコンピュータ装置は、通信端末装置１００から送信されてきた音声品質測定用の音声信号をサーバ３２０に転送する音声信号転送手段、及び、サーバ３２０から送信されてきた音声信号の録音ファイルを通信端末装置１００に送信する録音ファイル送信手段としても機能する。
また、サーバ３２０のコンピュータ装置は、音声品質測定用の音声信号の音源ファイルを記憶する音源ファイル記憶手段、通信端末装置１００から送信されてきた音声品質測定用の音声信号を受信する音声信号受信手段、通信端末装置１００から受信した音声信号を録音する録音手段、録音した録音ファイルを記憶する録音ファイル記憶手段、音声信号の録音ファイルを通信端末装置１００に送信する録音ファイル送信手段、及び、音源ファイルの音声信号と録音ファイルの音声信号とを比較し、その比較結果に基づいて音声品質の評価値を計算する音声品質計算手段の各手段としても機能する。
【００２７】
図２は、実施形態１に係る音声品質測定システムにおける通信端末装置からの発呼時に行う下り方向の音声品質測定の一例を示すシーケンス図である。なお、本例では、発側の通信端末装置１００が、音声品質を示すＭＯＳ値の計算を行う。また、サーバ３２０に保存されている音声品質測定用の音声信号の音源ファイルと同じ音源ファイルが発側の通信端末装置１００にも保存されている。また、発側の通信端末装置１００には、前述のインテリジェント交換機３１０を経由して無料通話サービスを利用するとともに音声品質測定を行うためのアプリケーションが予めインストールされている。
【００２８】
図２において、発側の通信端末装置１００は、上記アプリケーションが起動された状態で、音声通信先の電話番号（例えば、図１中の通信端末装置９００の電話番号：０９０＊＊＊＊＊＊＊＊）の入力又は選択を伴う利用者の電話開始操作を受けると、音声品質を示すＭＯＳ値の測定（以下「ＭＯＳ測定」という。）を開始し、インテリジェント交換機３１０の電話番号（例えば、０３＊＊＊＊＊＊＊＊）宛に発呼する。なお、本例において、通信端末装置１００からインテリジェント交換機３１０への発呼には、音声通信先の電話番号が含まれない。
【００２９】
インテリジェント交換機３１０は、通信端末装置１００からの発呼を受けると、音声品質の測定を指示するＭＯＳ測定指令をサーバ３２０に送信する。サーバ３２０は、インテリジェント交換機３１０からＭＯＳ測定指令を受信すると、音声品質測定用の音源ファイルに基づいて、音声品質測定用の音声信号（以下、「ＭＯＳ測定用音声信号」という。）の再生を開始する。このＭＯＳ測定用音声信号は、インテリジェント交換機３１０を介して又はインテリジェント交換機３１０を介さずに通信端末装置１００へ送信される。
【００３０】
通信端末装置１００は、サーバ３２０から受信したＭＯＳ測定用音声信号を録音し、録音ファイルとして保存する。ＭＯＳ測定用音声信号の受信が完了すると、通信端末装置１００は、音源ファイルの音声信号と録音ファイルの音声信号とを比較し、その比較結果に基づいて音声品質の評価値としてのＭＯＳ値を計算して保存する。
【００３１】
ＭＯＳ測定が終了すると、通信端末装置１００は、音声通信先の電話番号（例えば、図１中の通信端末装置９００の電話番号：０９０＊＊＊＊＊＊＊＊）宛に発呼する。なお、この発呼に伴う音声通信の利用料金については無料課金処理されるように、例えば、インテリジェント交換機３１０から通信事業者の所定のサーバに無料課金処理のために必要な情報が送信される。また、上記通信端末装置１００から音声通信先の電話番号への発呼が無料通話サービスの対象である旨を示す情報を、当該発呼に付加してもよい。
【００３２】
通信端末装置１００からの発呼を音声通信先側の通信端末装置が着呼すると、両装置間で音声通信の回線が確立され、通信端末装置１００の利用者と音声通信先の利用者との間で通常の通話が可能になる。
【００３３】
なお、通信端末装置１００は、計算したＭＯＳ値を測定環境情報とともにサーバ３２０に送信してもよい。また、通信端末装置１００及びサーバ３２０は、ＭＯＳ値と測定環境情報とを互いに関連付けて保存してもよい。ここで、測定環境情報は、例えば、音声品質測定時の通信端末装置１００の位置情報（ＧＰＳの位置情報）、音声品質測定時の日時情報、移動通信網２００の通信事業者情報及び通信端末装置１００における通信品質情報（例えば、受信ＳＩＮＲ（Signal-to-Interference and Noise power Ratio））の少なくとも一つの情報である。
また、通信端末装置１００及びサーバ３２０は、ＭＯＳ値を計算できなかった場合、ＭＯＳ値に代えて、ＭＯＳ値を計算できなかった旨の情報を保存するようにしてもよい。
また、ＭＯＳ値と、そのＭＯＳ値の計算に用いた録音ファイル又はその識別情報と、当該ＭＯＳ値の計算に用いた音源ファイル又はその識別情報とを互いに関連付けて保存するようにしてもよい。
【００３４】
以上、図２の例によれば、通信端末装置１００から通信網側装置３００に向けた無料通話サービスの音声通信の発呼時に、通常通話の開始に先だって、通信端末装置１００が、通信端末装置１００から移動通信網２００側への上り方向の音声品質を測定することができる。しかも、その音声品質測定にあたって、通信端末装置１００の利用者に音声品質測定のための特別な操作を要求する必要がない。
特に、図２の例によれば、通信網側装置３００のインテリジェント交換機３１０において通信端末装置１００から音声通信先への発呼を保留にする必要がない。
【００３５】
図３は、実施形態１に係る音声品質測定システムにおける通信端末装置からの発呼時に行う下り方向の音声品質測定の他の例を示すシーケンス図である。図３の例では、インテリジェント交換機３１０が通信端末装置１００からの発呼の転送を保留にし、サーバ３２０でのＭＯＳ測定用音声信号の再生が終了した後、音声通信先への発呼を転送している。なお、図３において、前述の図２と共通する部分については説明を省略する。
【００３６】
図３において、インテリジェント交換機３１０は、通信端末装置１００から音声通信先への発呼を受けると、その発呼の転送をいったん保留にし、音声品質の測定を指示するＭＯＳ測定指令をサーバ３２０に送信する。通信端末装置１００からインテリジェント交換機３１０への発呼には、音声通信先の電話番号が含まれている。
【００３７】
サーバ３２０は、ＭＯＳ測定用音声信号の再生を終了すると、ＭＯＳ測定終了の情報をインテリジェント交換機３１０に送信する。インテリジェント交換機３１０は、サーバ３２０から受信したＭＯＳ測定終了の情報に基づいて、サーバ３２０でのＭＯＳ測定用音声信号の再生終了を検知すると、上記保留にしておいた発呼を音声通信先に転送する。このように転送された通信端末装置１００からの発呼を音声通信先側の通信端末装置が着呼すると、両装置間で音声通信の回線が確立され、通信端末装置１００の利用者と音声通信先の利用者との間で通常の通話が可能になる。
【００３８】
以上、図３の例によれば、通信端末装置１００から通信網側装置３００に向けた無料通話サービスの音声通信の発呼時に、通常通話の開始に先だって、通信端末装置１００が、通信端末装置１００から移動通信網２００側への上り方向の音声品質を測定することができる。しかも、その音声品質測定にあたって、通信端末装置１００の利用者に音声品質測定のための特別な操作を要求する必要がない。
特に、図３の例によれば、通信端末装置１００から通信網側に向けた音声通信の発呼が１回で済む。
【００３９】
図４は、実施形態１に係る音声品質測定システムにおける通信端末装置からの発呼時に行う下り方向の音声品質測定の更に他の例を示すシーケンス図である。図４の例では、ＭＯＳ値の計算処理をサーバ３２０側で行っている。なお、図４において、前述の図２、３と共通する部分については説明を省略する。
【００４０】
図４において、通信端末装置１００は、サーバ３２０から受信したＭＯＳ測定用音声信号を録音し、その録音ファイルを測定環境情報とともにサーバ３２０に送信する。サーバ３２０は、通信端末装置１００から受信した録音ファイルと測定環境情報とを互いに関連付けて保存する。そして、サーバ３２０は、音源ファイルの音声信号と録音ファイルの音声信号とを比較し、その比較結果に基づいて音声品質の評価値としてのＭＯＳ値を計算し、ＭＯＳ値と測定環境情報とを互いに関連付けて保存する。
【００４１】
通信端末装置１００は、録音ファイルをサーバ３２０に送信してＭＯＳ測定が終了すると、音声通信先の電話番号宛に発呼する。
【００４２】
以上、図４の例によれば、通信端末装置１００から通信網側装置３００に向けた無料通話サービスの音声通信の発呼時に、通常通話の開始に先だって、サーバ３２０が、通信端末装置１００から移動通信網２００側への上り方向の音声品質を測定することができる。しかも、その音声品質測定にあたって、通信端末装置１００の利用者に音声品質測定のための特別な操作を要求する必要がない。また、音声品質の評価値としてのＭＯＳ値の計算処理を通信網側装置のサーバ３２０で行っているので、通信端末装置側の処理負荷軽減を図ることができる。
【００４３】
図５は、実施形態１に係る音声品質測定システムにおける通信端末装置からの発呼時に行う下り方向の音声品質測定の更に他の例を示すシーケンス図である。図５の例では、ＭＯＳ値の計算処理をサーバ３２０側で行っている。なお、図５において、前述の図２、３と共通する部分については説明を省略する。
【００４４】
図５において、インテリジェント交換機３１０は、通信端末装置１００から音声通信先への発呼を受けると、その発呼の転送をいったん保留にし、音声品質の測定を指示するＭＯＳ測定指令をサーバ３２０に送信する。通信端末装置１００からインテリジェント交換機３１０への発呼には、音声通信先の電話番号が含まれている。
【００４５】
図５において、通信端末装置１００は、サーバ３２０から受信したＭＯＳ測定用音声信号を録音し、その録音ファイルを測定環境情報とともにサーバ３２０に送信する。サーバ３２０は、通信端末装置１００から受信した録音ファイルと測定環境情報とを互いに関連付けて保存する。そして、サーバ３２０は、音源ファイルの音声信号と録音ファイルの音声信号とを比較し、その比較結果に基づいて音声品質の評価値としてのＭＯＳ値を計算し、ＭＯＳ値と測定環境情報とを互いに関連付けて保存する。
【００４６】
サーバ３２０は、ＭＯＳ測定用音声信号の再生を終了すると、ＭＯＳ測定終了の情報をインテリジェント交換機３１０に送信する。インテリジェント交換機３１０は、サーバ３２０から受信したＭＯＳ測定終了の情報に基づいて、サーバ３２０でのＭＯＳ測定用音声信号の再生終了を検知すると、上記保留にしておいた発呼を音声通信先に転送する。このように転送された通信端末装置１００からの発呼を音声通信先側の通信端末装置が着呼すると、両装置間で音声通信の回線が確立され、通信端末装置１００の利用者と音声通信先の利用者との間で通常の通話が可能になる。
【００４７】
以上、図５の例によれば、通信端末装置１００から通信網側装置３００に向けた無料通話サービスの音声通信の発呼時に、通常通話の開始に先だって、サーバ３２０が、通信端末装置１００から移動通信網２００側への上り方向の音声品質を測定することができる。しかも、その音声品質測定にあたって、通信端末装置１００の利用者に音声品質測定のための特別な操作を要求する必要がない。また、音声品質の評価値としてのＭＯＳ値の計算処理を通信網側装置のサーバ３２０で行っているので、通信端末装置側の処理負荷軽減を図ることができる。
【００４８】
図６は、実施形態１に係る音声品質測定システムにおける通信端末装置からの発呼時に行う上り方向の音声品質測定の一例を示すシーケンス図である。図６の例は、移動通信網２００から通信端末装置１００側への下り方向の音声品質を測定する例である。また、図６の例では、ＭＯＳ値の計算処理をサーバ３２０側で行っている。なお、図６において、前述の図２と共通する部分については説明を省略する。
【００４９】
図６において、発側の通信端末装置１００は、ＭＯＳ測定を開始してインテリジェント交換機３１０の電話番号宛に発呼した後、音声品質測定用の音源ファイルに基づいてＭＯＳ測定用音声信号の再生を開始する。このＭＯＳ測定用音声信号は、インテリジェント交換機３１０を介して又はインテリジェント交換機３１０を介さずにサーバ３２０へ送信される。
【００５０】
サーバ３２０は、インテリジェント交換機３１０から受信したＭＯＳ測定指令に基づき、通信端末装置１００から受信したＭＯＳ測定用音声信号を録音し、録音ファイルとして保存する。ＭＯＳ測定用音声信号の受信が完了すると、サーバ３２０は、音源ファイルの音声信号と録音ファイルの音声信号とを比較し、その比較結果に基づいて音声品質の評価値としてのＭＯＳ値を計算して保存する。
【００５１】
通信端末装置１００は、測定環境情報をサーバ３２０に送信してもよい。また、サーバ３２０は、ＭＯＳ値と測定環境情報とを互いに関連付けて保存してもよい。
また、サーバ３２０は、ＭＯＳ値を計算できなかった場合、ＭＯＳ値に代えて、ＭＯＳ値を計算できなかった旨の情報を保存するようにしてもよい。
また、ＭＯＳ値と、そのＭＯＳ値の計算に用いた録音ファイル又はその識別情報と、当該ＭＯＳ値の計算に用いた音源ファイル又はその識別情報とを互いに関連付けて保存するようにしてもよい。
【００５２】
以上、図６の例によれば、通信端末装置１００から通信網側装置３００に向けた無料通話サービスの音声通信の発呼時に、通常通話の開始に先だって、サーバ３２０が、通信網２００側から通信端末装置１００への下り方向の音声品質を測定することができる。しかも、その音声品質測定にあたって、通信端末装置１００の利用者に音声品質測定のための特別な操作を要求する必要がない。
【００５３】
図７は、実施形態１に係る音声品質測定システムにおける通信端末装置からの発呼時に行う上り方向の音声品質測定の他の例を示すシーケンス図である。図７の例は、移動通信網２００から通信端末装置１００側への下り方向の音声品質を測定する例である。また、図７の例では、ＭＯＳ値の計算処理をサーバ３２０側で行っている。なお、図６において、前述の図２及び図３と共通する部分については説明を省略する。
【００５４】
図７において、発側の通信端末装置１００は、ＭＯＳ測定を開始してインテリジェント交換機３１０の電話番号宛に発呼した後、音声品質測定用の音源ファイルに基づいてＭＯＳ測定用音声信号の再生を開始する。このＭＯＳ測定用音声信号は、インテリジェント交換機３１０を介して又はインテリジェント交換機３１０を介さずにサーバ３２０へ送信される。
【００５５】
サーバ３２０は、インテリジェント交換機３１０から受信したＭＯＳ測定指令に基づき、通信端末装置１００から受信したＭＯＳ測定用音声信号を録音し、録音ファイルとして保存する。ＭＯＳ測定用音声信号の受信が完了すると、サーバ３２０は、音源ファイルの音声信号と録音ファイルの音声信号とを比較し、その比較結果に基づいて音声品質の評価値としてのＭＯＳ値を計算して保存する。
【００５６】
通信端末装置１００は、測定環境情報をサーバ３２０に送信してもよい。また、サーバ３２０は、ＭＯＳ値と測定環境情報とを互いに関連付けて保存してもよい。
また、サーバ３２０は、ＭＯＳ値を計算できなかった場合、ＭＯＳ値に代えて、ＭＯＳ値を計算できなかった旨の情報を保存するようにしてもよい。
また、ＭＯＳ値と、そのＭＯＳ値の計算に用いた録音ファイル又はその識別情報と、当該ＭＯＳ値の計算に用いた音源ファイル又はその識別情報とを互いに関連付けて保存するようにしてもよい。
【００５７】
サーバ３２０は、通信端末装置１００でのＭＯＳ測定用音声信号の再生が終了すると、ＭＯＳ測定終了の情報をインテリジェント交換機３１０に送信する。インテリジェント交換機３１０は、サーバ３２０から受信したＭＯＳ測定終了の情報に基づいて、通信端末装置１００でのＭＯＳ測定用音声信号の再生終了を検知すると、上記保留にしておいた発呼を音声通信先に転送する。
【００５８】
以上、図７の例によれば、通信端末装置１００から通信網側装置３００に向けた無料通話サービスの音声通信の発呼時に、通常通話の開始に先だって、サーバ３２０が、通信網２００側から通信端末装置１００への下り方向の音声品質を測定することができる。しかも、その音声品質測定にあたって、通信端末装置１００の利用者に音声品質測定のための特別な操作を要求する必要がない。
【００５９】
図８は、実施形態１に係る音声品質測定システムにおける通信端末装置からの発呼時に行う音上り方向の声品質測定の更に他の例を示すシーケンス図である。図８の例では、ＭＯＳ値の計算処理をサーバ３２０側で行っている。なお、図８において、前述の図２、３、６、７と共通する部分については説明を省略する。
【００６０】
図８において、サーバ３２０は、通信端末装置１００から受信したＭＯＳ測定用音声信号を録音し、その録音ファイルを保存する。ここで、サーバ３２０は、通信端末装置１００から測定環境情報を受信し、その測定環境情報と、通信端末装置１００から受信した録音ファイルとを互いに関連付けて保存してもよい。サーバ３２０は、音源ファイルの音声信号と録音ファイルの音声信号とを比較し、その比較結果に基づいて音声品質の評価値としてのＭＯＳ値を計算し、ＭＯＳ値と測定環境情報とを互いに関連付けて保存する。
【００６１】
通信端末装置１００は、サーバ３２０へのＭＯＳ測定用音声信号の送信を終了し、ＭＯＳ測定が終了すると、音声通信先の電話番号宛に発呼する。
【００６２】
以上、図８の例によれば、通信端末装置１００から通信網側装置３００に向けた無料通話サービスの音声通信の発呼時に、通常通話の開始に先だって、サーバ３２０が、通信端末装置１００から移動通信網２００側への上り方向の音声品質を測定することができる。しかも、その音声品質測定にあたって、通信端末装置１００の利用者に音声品質測定のための特別な操作を要求する必要がない。また、音声品質の評価値としてのＭＯＳ値の計算処理を通信網側装置のサーバ３２０で行っているので、通信端末装置側の処理負荷軽減を図ることができる。
【００６３】
図９は、実施形態１に係る音声品質測定システムにおける通信端末装置からの発呼時に行う上り方向の音声品質測定の更に他の例を示すシーケンス図である。図９の例では、ＭＯＳ値の計算処理をサーバ３２０側で行っている。なお、図９において、前述の図２、３、６、７と共通する部分については説明を省略する。
【００６４】
図９において、インテリジェント交換機３１０は、通信端末装置１００から音声通信先への発呼を受けると、その発呼の転送をいったん保留にし、音声品質の測定を指示するＭＯＳ測定指令をサーバ３２０に送信する。通信端末装置１００からインテリジェント交換機３１０への発呼には、音声通信先の電話番号が含まれている。
【００６５】
図９において、サーバ３２０は、通信端末装置１００から受信したＭＯＳ測定用音声信号を録音し、その録音ファイルを保存する。ここで、サーバ３２０は、通信端末装置１００から測定環境情報を受信し、その測定環境情報と通信端末装置１００から受信した録音ファイルとを互いに関連付けて保存してもよい。サーバ３２０は、音源ファイルの音声信号と録音ファイルの音声信号とを比較し、その比較結果に基づいて音声品質の評価値としてのＭＯＳ値を計算し、計算したＭＯＳ値を保存する。このＭＯＳ値についても測定環境情報と関連付けて保存してもよい。
【００６６】
サーバ３２０は、ＭＯＳ測定用音声信号の再生を終了すると、ＭＯＳ測定終了の情報をインテリジェント交換機３１０に送信する。インテリジェント交換機３１０は、サーバ３２０から受信したＭＯＳ測定終了の情報に基づいて、サーバ３２０でのＭＯＳ測定用音声信号の再生終了を検知すると、上記保留にしておいた発呼を音声通信先に転送する。このように転送された通信端末装置１００からの発呼を音声通信先側の通信端末装置が着呼すると、両装置間で音声通信の回線が確立され、通信端末装置１００の利用者と音声通信先の利用者との間で通常の通話が可能になる。
【００６７】
以上、図９の例によれば、通信端末装置１００から通信網側装置３００に向けた無料通話サービスの音声通信の発呼時に、通常通話の開始に先だって、サーバ３２０が、通信端末装置１００から移動通信網２００側への上り方向の音声品質を測定することができる。しかも、その音声品質測定にあたって、通信端末装置１００の利用者に音声品質測定のための特別な操作を要求する必要がない。また、音声品質の評価値としてのＭＯＳ値の計算処理を通信網側装置のサーバ３２０で行っているので、通信端末装置側の処理負荷軽減を図ることができる。
【００６８】
〔実施形態２〕
図１０は、本発明の第２の実施形態（以下「実施形態２」という。）に係る音声品質測定システムを含む通信システム全体の要部構成の一例を示す説明図である。実施形態２の音声品質測定システムは、通信端末装置１００と、着側の移動通信網５００に設けられている交換機５１０とを含む。実施形態２は、着側の交換機５１０から受信した呼び出し音としてのリングバックトーン（以下、適宜「ＲＢＴ」と略す。）を利用して音声品質測定を行う例である。なお、図１０において、前述の図１に示す実施形態１と共通する部分については説明を省略する。
【００６９】
実施形態２において、通信端末装置１００の主制御装置は、音声品質測定用の音声信号として使用可能なＲＢＴの音源ファイルを記憶する音源ファイル記憶手段、交換機５１０から受信したＲＢＴを録音する録音手段、録音した録音ファイルを記憶する録音ファイル記憶手段、及び、音源ファイルのＲＢＴと録音ファイルのＲＢＴとを比較し、その比較結果に基づいて音声品質の評価値としてのＭＯＳ値を計算する音声品質計算手段の各手段としても機能する。
また、通信端末装置１００の主制御装置、アンテナ、送信増幅器、受信増幅器、無線信号処理部、ベースバンド信号処理部などは、交換機５１０に向けて音声通信先に対する音声通信の発呼を行う発呼手段、及び、音声通信先に対する発呼に基づいて交換機５１０から送信されてきたＲＢＴの信号を受信する呼び出し音受信手段の各手段しても機能する。
【００７０】
着側の交換機５１０は、例えば、ＭＰＵやメモリ等を有するコンピュータ装置、外部通信インターフェース部などのハードウェアを用いて構成され、所定のプログラムが実行されることによりパケット交換又は回線交換の処理のほか、音声品質測定のための各種処理を行うことができる。
交換機５１０のコンピュータ装置及び外部通信インターフェース部は、音声通信先に対する発呼を受信する発呼受信手段、及び、音声通信先に対する発呼に基づいてＲＢＴの信号を通信端末装置１００に向けて送信する呼び出し音送信手段の各手段としても機能する。
【００７１】
図１１は、実施形態２の音声品質測定システムにおける通信端末装置からの音声通信の発呼時の音声品質測定処理の一例を示すシーケンス図である。なお、本例では、交換機５１０に保存されている呼び出し音（ＲＢＴ）の音声信号の音源ファイルと同じ音源ファイルが発側の通信端末装置１００にも保存されている。また、発側の通信端末装置１００には、音声品質測定のためのアプリケーションが予めインストールされている。
【００７２】
図１１において、発側の通信端末装置１００は、上記アプリケーションが起動された状態で、音声通信先の電話番号（例えば、図１中の通信端末装置９００の電話番号：０９０＊＊＊＊＊＊＊＊）の入力又は選択を伴う利用者の電話開始操作を受けると、ＭＯＳ測定を開始し、上記音声通信先の電話番号宛に発呼する。この発呼は、発側の移動通信網２００の交換機２１０を介して、着側の移動通信網５００の交換機５１０に到達する。
【００７３】
着側の交換機５１０は、通信端末装置１００からの発呼を受けると、音声通信先である着側の通信端末装置９００に呼出信号を送信するとともに、呼び出し音（ＲＢＴ）の音源ファイルに基づいて、ＭＯＳ測定用音声信号として兼用される呼び出し音（ＲＢＴ）の信号の再生を開始する。この呼び出し音（ＲＢＴ）の信号は、発側の交換機２１０を介して通信端末装置１００へ送信される。
【００７４】
通信端末装置１００は、着側の交換機５１０から受信した呼び出し音の信号を録音し、録音ファイルとして保存する。呼び出し音の信号の受信が完了すると、通信端末装置１００は、音源ファイルの音声信号と録音ファイルの音声信号とを比較し、その比較結果に基づいて音声品質の評価値としてのＭＯＳ値を計算して保存する。
【００７５】
一方、着側の通信端末装置９００で通信端末装置１００からの発呼を受ける操作が行われると、着側の通信端末装置９００から交換機５１０にオフフック信号（又はそれに相当する信号）が送信される。着側の交換機５１０は、着側の通信端末装置９００からオフフック信号を受信すると応答信号を発側の交換機２１０に送信し、発側の交換機２１０は接続信号を発側の通信端末装置１００に送信する。
【００７６】
通信端末装置１００がＭＯＳ測定を終了し発側の交換機２１０から接続信号を受信すると、両装置１００、９００間で音声通信の回線が確立され、通信端末装置１００の利用者と音声通信先の利用者との間で通常の通話が可能になる。
【００７７】
以上、図１１の例によれば、通信端末装置１００から通信網側装置３００に向けた音声通信の発呼時に、通常通話の開始に先だって、通信端末装置１００が、移動通信網２００，５００側から通信端末装置１００への下り方向の音声品質を測定することができる。しかも、その音声品質測定にあたって、通信端末装置１００の利用者に音声品質測定のための特別な操作を要求する必要がない。
特に、図１１の例によれば、音声通信先に対する発呼時に交換機５１０から通信端末装置１００に送信される呼び出し音を流用して音声品質の測定が可能になるので、音声品質測定用の音源ファイルを別途用意する必要がない。また、通信端末装置１００が音声通信先に対して発呼している発呼中に、音声品質の測定に使用可能な呼び出し音の信号を受信できるため、音声品質の測定に用いる信号を受信するための時間を別途確保する必要もない。
【００７８】
図１２は、図１１の音声品質測定処理において発側の通信端末装置で実行されるＭＯＳ値の計算手順の一例を示すフローチャートである。本例では、前記呼び出し音の受信時間が所定時間以上の場合にのみＭＯＳ値を計算している。
図１２において、発側の通信端末装置１００が着側の交換機５１０からの呼び出し音の信号の受信及び録音を開始し（ステップ１０１）、その後、ＭＯＳ値の計算に必要な所定時間（例えば、４秒〜１０秒）が経過したか否かを判断する（ステップ１０２）。ここで、所定時間が経過する前に発側の交換機２１０から接続信号を受信した場合（ステップ１０２でＮＯ及びステップ１０３でＹＥＳ）は、ＭＯＳ値の計算を行わずに処理を終了する。
【００７９】
上記ステップ１０２で所定時間が経過したと判断した場合（ステップ１０２でＹＥＳ）は、それまでに受信して録音した呼び出し音の録音ファイルを保存し（ステップ１０４）、ＭＯＳ値の計算及び保存を行う（ステップ１０５）。
【００８０】
以上、図１２に示すように、前記呼び出し音の受信時間が所定時間以上の場合にのみＭＯＳ値を計算することにより、長さが不十分な呼び出し音の録音ファイルの音声信号を用いて音声品質の評価値が計算されるのを回避できるため、ＭＯＳ値の計算精度が向上する。
【００８１】
図１３は、図１１の音声品質測定処理において発側の通信端末装置で実行されるＭＯＳ値の計算手順の他の例を示すフローチャートである。本例では、録音ファイルに音声再生終了マーカーが含まれている場合にのみＭＯＳ値を計算している。
図１３において、着側の交換機５１０は、呼び出し音の最後に、呼び出し音の再生の終了を示す音声再生終了マーカーを入れる（ステップ２０１）。この音声再生終了マーカーは、例えば、呼び出し音の再生の終了時刻を示すように付加されたタイムスタンプ情報でもよいし、呼び出し音の再生の終了タイミングに挿入された所定の音信号でもよい。
【００８２】
発側の通信端末装置１００は、着側の交換機５１０からの呼び出し音の信号の受信及び録音を開始し、（ステップ２０２）、録音した呼び出し音の録音ファイルをいったん保存する（ステップ２０３）。その後、録音ファイルをチェックし、上記音声再生終了マーカーが録音ファイルに含まれているか否かを判断する（ステップ２０４、２０５）。ここで、音声再生終了マーカーが含まれていない場合（ステップ２０５でＮＯ）は、ＭＯＳ値の計算を行わずに処理を終了する。
【００８３】
上記ステップ２０５で音声再生終了マーカーが含まれていると判断した場合（ステップ２０５でＹＥＳ）は、ＭＯＳ値の計算及び保存を行う（ステップ２０６）。
【００８４】
以上、図１３に示すように、前記音声再生終了マーカーが含まれている場合にのみＭＯＳ値を計算することにより、長さが不十分な呼び出し音の録音ファイルの音声信号を用いて音声品質の評価値が計算されるのを回避できるため、ＭＯＳ値の計算精度が向上する。
【００８５】
〔実施形態３〕
図１４は、本発明の第３の実施形態（以下「実施形態３」という。）に係る音声品質測定システムを含む通信システム全体の要部構成の一例を示す説明図である。実施形態３の音声品質測定システムは、通信端末装置１００と、着側の移動通信網５００に設けられている交換機５１０と、交換機５１０に接続され通信端末装置ごとに又は通信端末装置の利用者ごとに選択して設定可能な複数種類の呼び出し音のファイル（例えば、待ちうた（登録商標）サービス音源ファイル）が格納されたデータベース７１０を有するサービス提供装置７００と、音声品質情報を管理するサーバ８００とを含む。実施形態３は、着側の交換機５１０から受信した呼び出し音を利用して音声品質測定を行う例である。なお、図１４において、前述の図１に示す実施形態１や図１０に示す実施形態２と共通する部分については説明を省略する。
【００８６】
サービス提供装置７００は、例えば、ＭＰＵやメモリ等を有するコンピュータ装置、外部通信インターフェース部、磁気ディスクや光ディスクなどからなるデータ記憶装置などのハードウェアを用いて構成され、所定のプログラムが実行されることにより、複数の通信端末装置の利用者に対して任意の楽曲や効果音などの呼び出しの登録サービスを提供するための処理を行うことができる。通信端末装置の利用者は、サービス提供装置７００にアクセスすることにより、当該通信端末装置に対して発呼があったときの呼び出し音を、その発呼を行う通信端末装置又はその利用者ごとに登録しておくことができる。
【００８７】
また、サーバ８００は、例えば、ＭＰＵやメモリ等を有するコンピュータ装置、外部通信インターフェース部などのハードウェアを用いて構成され、所定のプログラムが実行されることにより音声品質測定のための各種処理を行うことができる。
【００８８】
実施形態３の音声品質測定の一例において、通信端末装置１００の主制御装置は、音声品質測定用の音声信号として使用される呼び出し音の音源ファイルを記憶する音源ファイル記憶手段、交換機５１０から受信した呼び出し音を録音する録音手段、録音した録音ファイルを記憶する録音ファイル記憶手段、及び、音源ファイルの呼び出し音と録音ファイルの呼び出し音とを比較し、その比較結果に基づいて音声品質の評価値としてのＭＯＳ値を計算する音声品質計算手段の各手段としても機能する。
また、通信端末装置１００の主制御装置、アンテナ、送信増幅器、受信増幅器、無線信号処理部、ベースバンド信号処理部などは、交換機５１０に向けて音声通信先に対する音声通信の発呼を行う発呼手段、音声通信先に対する発呼に基づいて交換機５１０から送信されてきた呼び出し音の信号を受信する音声信号受信手段、及び、前記計算したＭＯＳ値をサーバ８００に送信する音声品質送信手段の各手段としても機能する。
また、交換機５１０のコンピュータ装置及び外部通信インターフェース部は、音声通信先に対する発呼を受信する発呼受信手段、及び、音声通信先に対する発呼に基づいてサービス提供装置７００にアクセスしてデータベース７１０を検索し通信端末装置又はその利用者に対して設定された呼び出し音の信号を通信端末装置に向けて送信する呼び出し音送信手段の各手段としても機能する。
【００８９】
実施形態３の音声品質測定の他の例において、通信端末装置１００の主制御装置は、交換機５１０から受信した呼び出し音を録音する録音手段としても機能する。
また、通信端末装置１００の主制御装置、アンテナ、送信増幅器、受信増幅器、無線信号処理部、ベースバンド信号処理部などは、交換機５１０に向けて音声通信先に対する音声通信の発呼を行う発呼手段、音声通信先に対する発呼に基づいて交換機５１０から送信されてきた呼び出し音の信号を受信する音声信号受信手段、及び、録音した録音ファイルをサーバ８００に送信する録音ファイル送信手段の各手段としての機能する。
また、サーバ８００のコンピュータ装置及び外部通信インターフェース部は、音声品質測定用の音声信号として使用される呼び出し音の音源ファイルを記憶する音源ファイル記憶手段、通信端末装置１００から録音ファイルを受信する録音ファイル受信手段、及び、音源ファイルの呼び出し音と通信端末装置１００から受信した録音ファイルの呼び出し音とを比較し、その比較結果に基づいて音声品質の評価値としてのＭＯＳ値を計算する音声品質計算手段の各手段としても機能する。
また、交換機５１０のコンピュータ装置及び外部通信インターフェース部は、前記音声通信先に対する発呼を受信する発呼受信手段、及び、音声通信先に対する発呼に基づいてサービス提供装置７００にアクセスしてデータベース７１０を検索し通信端末装置１００又はその利用者に対して設定された呼び出し音の音声信号を通信端末装置１００に向けて送信する呼び出し音送信手段の各手段としても機能する。
【００９０】
図１５は、実施形態３の音声品質測定システムにおける通信端末装置からの音声通信の発呼時に行う下り方向の音声品質測定処理の一例を示すシーケンス図である。なお、本例では、発側の通信端末装置１００は、当該通信端末装置１００又はその利用者と他の複数の音声通信先の通信端末装置又はその利用者との組み合わせについて予め登録されている呼び出し音の音源ファイルが保存されている。この音源ファイルは、サービス提供装置７００のデータベース７１０にアクセスする方法などで予め取得されている。また、発側の通信端末装置１００には、音声品質測定のためのアプリケーションが予めインストールされている。
【００９１】
図１５において、発側の通信端末装置１００は、上記アプリケーションが起動された状態で、音声通信先の電話番号（例えば、図１中の通信端末装置９００の電話番号：０９０＊＊＊＊＊＊＊＊）の入力又は選択を伴う利用者の電話開始操作を受けると、ＭＯＳ測定を開始し、上記音声通信先の電話番号宛に発呼する。この発呼は、発側の移動通信網２００の交換機２１０を介して、着側の移動通信網５００の交換機５１０に到達する。
【００９２】
着側の交換機５１０は、通信端末装置１００からの発呼を受けると、音声通信先である着側の通信端末装置９００に呼出信号を送信するとともに、サービス提供装置７００にアクセスし、発側の通信端末装置１００又はその利用者と着側の通信端末装置９００又はその利用者との組み合わせについて登録されている呼び出し音を検索する。そして、その検索して取得された音源ファイルに基づいて、着側の交換機５１０は、ＭＯＳ測定用音声信号として兼用される呼び出し音の信号の再生を開始する。この呼び出し音の信号は、発側の交換機２１０を介して通信端末装置１００へ送信される。
【００９３】
通信端末装置１００は、着側の交換機５１０から受信した呼び出し音の信号を録音し、録音ファイルとして保存する。呼び出し音の音声信号の受信が完了すると、通信端末装置１００は、音源ファイルの音声信号と録音ファイルの音声信号とを比較し、その比較結果に基づいて音声品質の評価値としてのＭＯＳ値を計算して保存する。
【００９４】
一方、着側の通信端末装置９００で通信端末装置１００からの発呼を受ける操作が行われると、着側の通信端末装置９００から交換機５１０にオフフック信号（又はそれに相当する信号）が送信される。着側の交換機５１０は、着側の通信端末装置９００からオフフック信号を受信すると応答信号を発側の交換機２１０に送信し、発側の交換機２１０は接続信号を発側の通信端末装置１００に送信する。
【００９５】
通信端末装置１００がＭＯＳ測定を終了し発側の交換機２１０から接続信号を受信すると、両装置１００、９００間で音声通信の回線が確立され、通信端末装置１００の利用者と音声通信先の利用者との間で通常の通話が可能になる。
【００９６】
以上、図１５の例によれば、通信端末装置１００からサービス提供装置３００に向けた音声通信の発呼時に、通常通話の開始に先だって、通信端末装置１００が、移動通信網２００，５００側から通信端末装置１００への下り方向の音声品質を測定することができる。しかも、その音声品質測定にあたって、通信端末装置１００の利用者に音声品質測定のための特別な操作を要求する必要がない。
特に、図１５の例によれば、音声通信先に対する発呼時に交換機５１０から通信端末装置１００に送信される呼び出し音を流用して音声品質の測定が可能になるので、音声品質測定用の音源ファイルを別途用意する必要がない。また、通信端末装置１００が音声通信先に対して発呼している発呼中に、音声品質の測定に使用可能な呼び出し音の信号を受信できるため、音声品質の測定に用いる信号を受信するための時間を別途確保する必要もない。
【００９７】
図１６は、実施形態３の音声品質測定システムにおける通信端末装置からの音声通信の発呼時の音声品質測定処理の他の例を示すシーケンス図である。本例では、発側の通信端末装置１００ではなく、サーバ８００がＭＯＳ値の計算を行っている。サーバ８００は、複数の通信端末装置又はその利用者の組み合わせについて予め登録されている呼び出し音の音源ファイルが保存されている。この音源ファイルは、サービス提供装置７００のデータベース７１０にアクセスする方法などで予め取得されている。また、発側の通信端末装置１００には、音声品質測定のためのアプリケーションが予めインストールされている。
【００９８】
図１６において、発側の通信端末装置１００は、上記アプリケーションが起動された状態で、音声通信先の電話番号（例えば、図１中の通信端末装置９００の電話番号：０９０＊＊＊＊＊＊＊＊）の入力又は選択を伴う利用者の電話開始操作を受けると、ＭＯＳ測定を開始し、上記音声通信先の電話番号宛に発呼する。この発呼は、発側の移動通信網２００の交換機２１０を介して、着側の移動通信網５００の交換機５１０に到達する。
【００９９】
着側の交換機５１０は、通信端末装置１００からの発呼を受けると、音声通信先である着側の通信端末装置９００に呼出信号を送信するとともに、サービス提供装置７００にアクセスし、発側の通信端末装置１００又はその利用者と着側の通信端末装置９００又はその利用者との組み合わせについて登録されている呼び出し音を検索する。そして、その検索して取得された呼び出し音の音源ファイルに基づいて、着側の交換機５１０は、ＭＯＳ測定用音声信号として兼用される呼び出し音の信号の再生を開始する。この呼び出し音の信号は、発側の交換機２１０を介して通信端末装置１００へ送信される。
【０１００】
通信端末装置１００は、着側の交換機５１０から受信した呼び出し音の信号を録音し、録音ファイルとして保存する。呼び出し音の信号の受信が完了すると、通信端末装置１００は、呼び出し音の録音ファイルを測定環境情報とともに、サーバ８００へ送信する。
【０１０１】
サーバ８００は、発側の通信端末装置１００又はその利用者と着側の通信端末装置９００又はその利用者との組み合わせについて予め登録されている音源ファイルの音声信号と、録音ファイルの音声信号とを比較し、その比較結果に基づいて音声品質の評価値としてのＭＯＳ値を計算して保存する。
【０１０２】
一方、着側の通信端末装置９００で通信端末装置１００からの発呼を受ける操作が行われると、着側の通信端末装置９００から交換機５１０にオフフック信号（又はそれに相当する信号）が送信される。着側の交換機５１０は、着側の通信端末装置９００からオフフック信号を受信すると応答信号を発側の交換機２１０に送信し、発側の交換機２１０は接続信号を発側の通信端末装置１００に送信する。
【０１０３】
通信端末装置１００がＭＯＳ測定を終了し、発側の交換機２１０から接続信号を受信すると、両装置１００、９００間で音声通信の回線が確立され、通信端末装置１００の利用者と音声通信先の利用者との間で通常の通話が可能になる。
【０１０４】
以上、図１６の例によれば、通信端末装置１００からサービス提供装置３００に向けた音声通信の発呼時に、通常通話の開始に先だって、サーバ８００が、移動通信網２００，５００側から通信端末装置１００への下り方向の音声品質を測定することができる。しかも、その音声品質測定にあたって、通信端末装置１００の利用者に音声品質測定のための特別な操作を要求する必要がない。
特に、図１６の例によれば、音声通信先に対する発呼時に交換機５１０から通信端末装置１００に送信される呼び出し音を流用して音声品質の測定が可能になるので、音声品質測定用の音源ファイルとそのための専用装置を別途用意する必要がない。また、通信端末装置１００が音声通信先に対して発呼している発呼中に、音声品質の測定に使用可能な呼び出し音の信号を受信できるため、音声品質の測定に用いる信号を受信するための時間を別途確保する必要もない。
【０１０５】
なお、図１５及び図１６の例においても、前述の図１２に示したように呼び出し音の受信時間が所定時間以上の場合にのみＭＯＳ値を計算するようにしたり、呼び出し音の録音ファイルに音声再生終了マーカーが含まれる場合にのみＭＯＳ値を計算するようにしてもよい。
【０１０６】
〔実施形態４〕
図１７は、本発明の第４の実施形態（以下「実施形態４」という。）に係る音声品質測定システムを含む通信システム全体の要部構成の一例を示す説明図である。実施形態４の音声品質測定システムは、通信端末装置１００と、通信網側装置４００とを備える。通信網側装置４００は、インテリジェント交換機４１０と、音声品質情報を管理するサーバ４２０とを含む。通信網側装置４００には、交換機２１０、５１０を含めてもよい。実施形態４は、通信端末装置１００が他の通信端末装置と間で音声通信を行っている通話中に音声品質測定を行う例である。なお、図１７において、前述の図１に示す実施形態１や図１０に示す実施形態２と共通する部分については説明を省略する。
【０１０７】
また、インテリジェント交換機４１０及びサーバ４２０はそれぞれ、例えば、ＭＰＵやメモリ等を有するコンピュータ装置、外部通信インターフェース部などのハードウェアを用いて構成され、所定のプログラムが実行されることにより音声品質測定のための各種処理を行うことができる。
【０１０８】
実施形態４の音声品質測定の一例において、通信網側装置４００（インテリジェント交換機４１０、サーバ４２０）のコンピュータ装置及び外部通信インターフェース部は、通信端末装置１００と音声通信先との間の音声通信中に、音声通信先から通信端末装置１００に向けて送信されている音声データを取得し、音声品質測定用の音声信号の音源録音ファイルとして保存する音声データ保存手段、及び、音声信号の音源録音ファイルを通信端末装置１００に送信する音源録音ファイル送信手段の各手段としても機能する。
また、通信端末装置１００の主制御装置は、音声信号の音源録音ファイルを通信網側装置４００から受信する音源録音ファイル受信手段、音声通信先との間の音声通信中に、その音声通信先から受信した音声データを録音する録音手段、録音した録音ファイルを測定対象録音ファイルとしての記憶する測定対象録音ファイル記憶手段、及び、音源録音ファイルの音声信号と測定対象録音ファイルの音声信号とを比較し、その比較結果に基づいて音声品質の評価値を計算する音声品質計算手段の各手段としても機能する。
【０１０９】
実施形態４の音声品質測定の他の例において、通信端末装置１００の主制御装置は、音声通信先との間の音声通信中に、該音声通信先から受信した音声データを録音する録音手段としても機能する。
また、通信端末装置１００の主制御装置、アンテナ、送信増幅器、受信増幅器、無線信号処理部、ベースバンド信号処理部などは、録音した録音ファイルを測定対象録音ファイルとして通信網側装置４００に送信する録音ファイル送信手段としても機能する。
また、通信網側装置４００（インテリジェント交換機４１０、サーバ４２０）のコンピュータ装置及び外部通信インターフェース部は、通信端末装置１００と音声通信先との間の音声通信中に、音声通信先から通信端末装置１００に向けて送信されている音声データを取得し、音声品質測定用の音声信号の音源録音ファイルとして保存する音声データ保存手段、通信端末装置１００から測定対象録音ファイルを受信する測定対象録音ファイル受信手段、音源録音ファイルの音声信号と測定対象録音ファイルの音声信号とを比較し、音声品質の評価値を計算する音声品質計算手段の各手段としても機能する。
【０１１０】
実施形態４の音声品質測定の更に他の例において、通信網側装置４００（インテリジェント交換機４１０、サーバ４２０）のコンピュータ装置及び外部通信インターフェース部は、通信端末装置１００と音声通信先との間の音声通信中に、通信端末装置１００から音声通信先に向けて送信されている音声データを取得し、音声品質測定用の音声信号の測定対象録音ファイルとして保存する音声データ保存手段、及び、音声信号の測定対象録音ファイルを通信端末装置１００に送信する測定対象録音ファイル送信手段の各手段としても機能する。
また、通信端末装置１００の主制御装置は、音声通信先との間の音声通信中に、その音声通信先に向けて送信する音声信号を録音する録音手段、録音した録音ファイルを音源録音ファイルとして記憶する音源録音ファイル記憶手段、音源録音ファイルの音声信号と測定対象録音ファイルの音声信号とを比較し、その比較結果に基づいて音声品質の評価値を計算する音声品質計算手段の各手段としても機能する。
通信端末装置１００の主制御装置、アンテナ、送信増幅器、受信増幅器、無線信号処理部、ベースバンド信号処理部などは、音声信号の測定対象録音ファイルを通信網側装置４００から受信する測定対象録音ファイル受信手段しても機能する。
【０１１１】
実施形態４の音声品質測定の他の例において、通信端末装置１００の主制御装置は、音声通信先との間の音声通信中に、その音声通信先に向けて送信する音声信号を録音する録音手段としても機能する。
また、通信端末装置１００の主制御装置、アンテナ、送信増幅器、受信増幅器、無線信号処理部、ベースバンド信号処理部などは、録音した録音ファイルを音源録音ファイルとして通信網側装置４００に送信する音源録音ファイル送信手段としても機能する。
また、通信網側装置４００（インテリジェント交換機４１０、サーバ４２０）のコンピュータ装置及び外部通信インターフェース部は、通信端末装置１００と音声通信先との間の音声通信中に、通信端末装置１００から音声通信先に向けて送信されている音声データを取得し、音声品質測定用の音声信号の測定対象録音ファイルとして保存する音声データ保存手段、通信端末装置１００から音源録音ファイルを受信する音源録音ファイル受信手段、音源録音ファイルの音声信号と測定対象録音ファイルの音声信号とを比較し、音声品質の評価値を計算する音声品質計算手段の各手段としても機能する。
【０１１２】
次に、図１８〜図２１に基づき、実施形態４において通信端末装置１００が他の通信端末装置と間で音声通信を行っている通話中の音声信号をすべて録音した後、測定対象録音ファイル及び音源録音ファイルから所定条件を満たす所定範囲の音声信号を抽出して音声品質測定を行う例について説明する。ここで、上記所定条件及び所定範囲は、通信端末装置１００と音声通信先との間の音声通信で送受信された音声信号における音声品質測定対象を特定するために設定された条件である。
【０１１３】
図１８は、実施形態４の音声品質測定システムにおける通信端末装置と音声通信先との通話中に行う下り方向の音声品質測定処理の一例を示すシーケンス図である。
図１８において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００にＭＯＳ測定指令を送信する。
【０１１４】
インテリジェント交換機４２０は、サーバ４２０からＭＯＳ測定指令を受信すると、音声通信先から通信端末装置１００に向けて送信されている音声データを複製して取得し、録音開始及び録音終了の時刻情報（例えば絶対時刻情報）であるタイムスタンプ情報とともに、音声データから作成した音声品質測定用の音声信号の音源録音ファイルとして保存する。この音声信号の音源録音ファイルは、通信端末装置１００に送信される。
【０１１５】
一方、通信端末装置１００は、サーバ４２０からＭＯＳ測定指令を受信すると、音声通信先との間の音声通信中に、その音声通信先から受信した音声信号を録音し、録音した録音ファイルを、録音開始及び録音終了の時刻情報（例えば絶対時刻情報）であるタイムスタンプ情報とともに、測定対象録音ファイルとして保存する。また、通信端末装置１００は、インテリジェント交換機４１０から音源録音ファイルを受信する。
【０１１６】
次に、通信端末装置１００は、測定対象録音ファイル及び音源録音ファイルについて、ＭＯＳ値の計算に用いるための所定の条件を満たす所定範囲の音声信号を抽出する。この抽出の条件の情報は、予め通信端末装置１００に保存されている。
【０１１７】
上記抽出の条件としては、例えば、非特許文献１や非特許文献２に記載されているＭＯＳ値の算出の国際標準方式（ＰＯＬＱＡ，ＰＥＳＱ）に準拠した音声信号の録音ファイルの属性の条件を設定することができる。音声信号の録音ファイルの属性の条件は、例えば、ＭＯＳ値の算出に用いる音声信号の長さ（例えば３秒以上）、先頭及び末尾に無音時間（２００ミリ秒以上）、ノイズフロアー（−８４ｄＢ以下）等である。
【０１１８】
次に、通信端末装置１００は、音源録音ファイル及び測定対象録音ファイルから抽出した互いに対応する所定範囲の音声信号を比較し、その比較結果に基づいてＭＯＳ値を計算して保存する。また、通信端末装置１００は、計算したＭＯＳ値を、音声品質測定時の通信端末装置１００の所在位置情報、時間情報、キャリア情報等の測定環境情報とともにサーバ４２０に送信する。サーバ４２０は、通信端末装置１００から受信したＭＯＳ値と測定環境情報とを互いに関連付けて保存する。
【０１１９】
以上、図１８の例によれば、通信端末装置１００と音声通信先との間の音声通信中に、通信端末装置１００が、移動通信網２００側から通信端末装置１００への下り方向の音声品質を測定することができる。しかも、その音声品質測定にあたって、通信端末装置１００の利用者に音声品質測定のための特別な操作を要求する必要がない。
【０１２０】
図１９は、実施形態４の音声品質測定システムにおける通信端末装置と音声通信先との通話中に行う下り方向の音声品質測定処理の他の例を示すシーケンス図である。
図１９において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００にＭＯＳ測定指令を送信する。
【０１２１】
インテリジェント交換機４２０は、サーバ４２０からＭＯＳ測定指令を受信すると、音声通信先から通信端末装置１００に向けて送信されている音声データを複製して取得し、録音開始及び録音終了の時刻情報（例えば絶対時刻情報）であるタイムスタンプ情報とともに、音声データから作成した音声品質測定用の音声信号の音源録音ファイルとして保存する。この音声信号の音源録音ファイルは、サーバ４２０に送信される。
【０１２２】
一方、通信端末装置１００は、サーバ４２０からＭＯＳ測定指令を受信すると、音声通信先との間の音声通信中に、その音声通信先から受信した音声信号を録音し、録音した録音ファイルを、録音開始及び録音終了の時刻情報（例えば絶対時刻情報）であるタイムスタンプ情報とともに測定対象録音ファイルとして保存する。この測定対象録音ファイルは、音声品質測定時の通信端末装置１００の所在位置情報、時間情報、キャリア情報等の測定環境情報とともにサーバ４２０に送信される。
【０１２３】
次に、サーバ４２０は、測定対象録音ファイル及び音源録音ファイルについて、ＭＯＳ値の計算に用いるための前述の所定の条件を満たす所定範囲の音声信号を抽出する。この抽出の条件の情報は、予めサーバ４２０に保存されている。
【０１２４】
次に、サーバ４２０は、音源録音ファイル及び測定対象録音ファイルから抽出した互いに対応する所定範囲の音声信号を比較し、その比較結果に基づいてＭＯＳ値を計算し、計算したＭＯＳ値と測定環境情報と互いに関連付けて保存する。
【０１２５】
以上、図１９の例によれば、通信端末装置１００と音声通信先との間の音声通信中に、サーバ４２０が、移動通信網２００側から通信端末装置１００への下り方向の音声品質を測定することができる。しかも、その音声品質測定にあたって、通信端末装置１００の利用者に音声品質測定のための特別な操作を要求する必要がない。また、ＭＯＳ値の計算をサーバ４２０で行っているので、通信端末装置１００の負荷を軽減することができる。
【０１２６】
図２０は、実施形態４の音声品質測定システムにおける通信端末装置と音声通信先との通話中に行う上り方向の音声品質測定処理の一例を示すシーケンス図である。
図２０において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００にＭＯＳ測定指令を送信する。
【０１２７】
インテリジェント交換機４２０は、サーバ４２０からＭＯＳ測定指令を受信すると、通信端末装置１００から音声通信先に向けて送信されている音声データを複製して取得し、録音開始及び録音終了の時刻情報（例えば絶対時刻情報）であるタイムスタンプ情報とともに、音声データから作成した音声品質測定用の音声信号の測定対象録音ファイルとして保存し、その測定対象録音ファイルを通信端末装置１００に送信する。
【０１２８】
一方、通信端末装置１００は、サーバ４２０からＭＯＳ測定指令を受信すると、音声通信先との間の音声通信中に、その音声通信先に向けて送信する音声信号を録音し、録音した録音ファイルを、録音開始及び録音終了の時刻情報（例えば絶対時刻情報）であるタイムスタンプ情報とともに、音源録音ファイルとして保存する。また、通信端末装置１００は、インテリジェント交換機４１０から測定対象録音ファイルを受信する。
【０１２９】
次に、通信端末装置１００は、測定対象録音ファイル及び音源録音ファイルについて、ＭＯＳ値の計算に用いるための前述の所定の条件を満たす所定範囲の音声信号を抽出する。この抽出の条件の情報は、予め通信端末装置１００に保存されている。
【０１３０】
次に、通信端末装置１００は、音源録音ファイル及び測定対象録音ファイルから抽出した互いに対応する所定範囲の音声信号とを比較し、その比較結果に基づいてＭＯＳ値を計算し、計算したＭＯＳ値を、音声品質測定時の通信端末装置１００の所在位置情報、時間情報、キャリア情報等の測定環境情報とともにサーバ４２０に送信する。サーバ４２０は、通信端末装置１００から受信したＭＯＳ値と測定環境情報とを互いに関連付けて保存する。
【０１３１】
以上、図２０の例によれば、通信端末装置１００と音声通信先との間の音声通信中に、通信端末装置１００が、通信端末装置１００から移動通信網２００側への上り方向の音声品質を測定することができる。しかも、その音声品質測定にあたって、通信端末装置１００の利用者に音声品質測定のための特別な操作を要求する必要がない。
【０１３２】
図２１は、実施形態４の音声品質測定システムにおける通信端末装置と音声通信先との通話中に行う上り方向の音声品質測定処理の他の例を示すシーケンス図である。
図２１において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００にＭＯＳ測定指令を送信する。
【０１３３】
インテリジェント交換機４２０は、サーバ４２０からＭＯＳ測定指令を受信すると、通信端末装置１００から音声通信先に向けて送信されている音声データを複製して取得し、録音開始及び録音終了の時刻情報（例えば絶対時刻情報）であるタイムスタンプ情報とともに、音声データから作成した音声品質測定用の音声信号の測定対象録音ファイルとして保存する。この音声信号の音源録音ファイルは、サーバ４２０に送信される。
【０１３４】
一方、通信端末装置１００は、サーバ４２０からＭＯＳ測定指令を受信すると、音声通信先との間の音声通信中に、その音声通信先に向けて送信する音声信号を録音し、録音した録音ファイルを音源録音ファイルとして保存する。この音源録音ファイルは、音声品質測定時の通信端末装置１００の所在位置情報、時間情報、キャリア情報等の測定環境情報とともにサーバ４２０へ送信される。
【０１３５】
次に、サーバ４２０は、測定対象録音ファイル及び音源録音ファイルについて、ＭＯＳ値の計算に用いるための前述の所定の条件を満たす所定範囲の音声信号を抽出する。この抽出の条件の情報は、予めサーバ４２０に保存されている。
【０１３６】
次に、サーバ４２０は、音源録音ファイル及び測定対象録音ファイルから抽出した互いに対応する所定範囲の音声信号を比較し、その比較結果に基づいてＭＯＳ値を計算し、計算したＭＯＳ値と測定環境情報とを互いに関連付けて保存する。
【０１３７】
以上、図２１の例によれば、通信端末装置１００と音声通信先との間の音声通信中に、サーバ２１０が、通信端末装置１００から移動通信網２００側への上り方向の音声品質を測定することができる。しかも、その音声品質測定にあたって、通信端末装置１００の利用者に音声品質測定のための特別な操作を要求する必要がない。また、ＭＯＳ値の計算をサーバ４２０で行っているので、通信端末装置１００の負荷を軽減することができる。
【０１３８】
次に、図２２〜図２５に基づき、実施形態４において通信端末装置１００が他の通信端末装置と間で音声通信を行っている通話中の音声信号を、予め設定された録音オプションの情報に基づいて録音し、測定対象録音ファイル及び音源録音ファイルのすべて又は一部の音声信号を用いて音声品質測定を行う例について説明する。
【０１３９】
ここで、上記録音オプションは、通信端末装置１００と音声通信先との間の音声通信で送受信された音声信号における音声品質測定対象を特定するために設定された条件である。この録音オプションは、通話開始前に事前に設定しておいてもよいし、通話開始直後に動的に設定してもよい。
【０１４０】
図２２は、実施形態４の音声品質測定システムにおける通信端末装置と音声通信先との通話中に行う下り方向の音声品質測定処理の更に他の例を示すシーケンス図である。
図２２において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００にＭＯＳ測定指令を送信する。
【０１４１】
上記ＭＯＳ測定指令には、録音オプションの情報が含まれる。この録音オプションは、通信端末装置１００と音声通信先との間の音声通信で送受信された音声信号における音声品質測定対象を特定するために設定された条件である。例えば、上記録音オプションとしては、通信端末装置１００が他の通信端末装置と間で音声通信を行っている通話中において実行する録音の回数、録音開始時刻（絶対時刻、又は、通話開始時刻を基準にした相対時刻）、録音時間などである。より具体的な録音オプションの例を次の（１）〜（４）に挙げる。
（１）録音の回数：３回
（２）１回目の録音：通話開始時刻から１０秒後から、２０秒間録音
（３）２回目の録音：通話開始時刻から４０秒後から、２０秒間録音
（４）３回目の録音：通話開始時刻から７０秒後から、２０秒間録音
【０１４２】
インテリジェント交換機４２０は、サーバ４２０から録音オプションを含むＭＯＳ測定指令を受信すると、録音オプションに基づいて、音声通信先から通信端末装置１００に向けて送信されている音声データを複製して取得し、録音開始及び録音終了の時刻情報（例えば絶対時刻情報）であるタイムスタンプ情報とともに、音声データから作成した音声品質測定用の音声信号の音源録音ファイルとして保存する。この音声信号の音源録音ファイルは、通信端末装置１００に送信される。
【０１４３】
一方、通信端末装置１００は、サーバ４２０から録音オプションを含むＭＯＳ測定指令を受信すると、音声通信先との間の音声通信中に、録音オプションに基づいて、その音声通信先から受信した音声信号を録音し、録音した録音ファイルを、録音開始及び録音終了の時刻情報（例えば絶対時刻情報）であるタイムスタンプ情報とともに、測定対象録音ファイルとして保存する。また、通信端末装置１００は、インテリジェント交換機４１０から音源録音ファイルを受信する。
【０１４４】
次に、通信端末装置１００は、測定対象録音ファイル及び音源録音ファイルについて、録音した音声信号のすべて又は一部を抽出する。この抽出の条件の情報は、予め通信端末装置１００に保存されている。
【０１４５】
次に、通信端末装置１００は、音源録音ファイル及び測定対象録音ファイルから抽出した互いに対応する所定範囲の音声信号を比較し、その比較結果に基づいてＭＯＳ値を計算して保存する。また、通信端末装置１００は、計算したＭＯＳ値を、音声品質測定時の通信端末装置１００の所在位置情報、時間情報、キャリア情報等の測定環境情報とともにサーバ４２０に送信する。サーバ４２０は、通信端末装置１００から受信したＭＯＳ値と測定環境情報とを互いに関連付けて保存する。
【０１４６】
以上、図２２の例によれば、通信端末装置１００と音声通信先との間の音声通信中に、通信端末装置１００が、移動通信網２００側から通信端末装置１００への下り方向の音声品質を測定することができる。しかも、その音声品質測定にあたって、通信端末装置１００の利用者に音声品質測定のための特別な操作を要求する必要がない。
【０１４７】
図２３は、実施形態４の音声品質測定システムにおける通信端末装置と音声通信先との通話中に行う下り方向の音声品質測定処理の更に他の例を示すシーケンス図である。
図２３において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００に、前述の録音オプションを含むＭＯＳ測定指令を送信する。
【０１４８】
インテリジェント交換機４２０は、サーバ４２０から録音オプションを含むＭＯＳ測定指令を受信すると、録音
オプションに基づいて、音声通信先から通信端末装置１００に向けて送信されている音声データを複製して取得し、録音開始及び録音終了の時刻情報（例えば絶対時刻情報）であるタイムスタンプ情報とともに、音声データから作成した音声品質測定用の音声信号の音源録音ファイルとして保存する。この音声信号の音源録音ファイルは、サーバ４２０に送信される。
【０１４９】
一方、通信端末装置１００は、サーバ４２０から録音オプションを含むＭＯＳ測定指令を受信すると、音声通信先との間の音声通信中に、録音オプションに基づいて、その音声通信先から受信した音声信号を録音し、録音した録音ファイルを、録音開始及び録音終了の時刻情報（例えば絶対時刻情報）であるタイムスタンプ情報とともに測定対象録音ファイルとして保存する。この測定対象録音ファイルは、音声品質測定時の通信端末装置１００の所在位置情報、時間情報、キャリア情報等の測定環境情報とともにサーバ４２０に送信される。
【０１５０】
次に、サーバ４２０は、測定対象録音ファイル及び音源録音ファイルについて、録音した音声信号のすべて又は一部を抽出する。この抽出の条件の情報は、予めサーバ４２０に保存されている。
【０１５１】
次に、サーバ４２０は、音源録音ファイル及び測定対象録音ファイルから抽出した互いに対応する所定範囲の音声信号を比較し、その比較結果に基づいてＭＯＳ値を計算し、計算したＭＯＳ値と測定環境情報と互いに関連付けて保存する。
【０１５２】
以上、図２３の例によれば、通信端末装置１００と音声通信先との間の音声通信中に、サーバ４２０が、移動通信網２００側から通信端末装置１００への下り方向の音声品質を測定することができる。しかも、その音声品質測定にあたって、通信端末装置１００の利用者に音声品質測定のための特別な操作を要求する必要がない。また、ＭＯＳ値の計算をサーバ４２０で行っているので、通信端末装置１００の負荷を軽減することができる。
【０１５３】
図２４は、実施形態４の音声品質測定システムにおける通信端末装置と音声通信先との通話中に行う上り方向の音声品質測定処理の更に他の例を示すシーケンス図である。
図２４において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００に、前述の録音オプションを含むＭＯＳ測定指令を送信する。
【０１５４】
インテリジェント交換機４２０は、サーバ４２０から録音オプションを含むＭＯＳ測定指令を受信すると、録音オプションに基づいて、通信端末装置１００から音声通信先に向けて送信されている音声データを複製して取得し、録音開始及び録音終了の時刻情報（例えば絶対時刻情報）であるタイムスタンプ情報とともに、音声データから作成した音声品質測定用の音声信号の測定対象録音ファイルとして保存し、その測定対象録音ファイルを通信端末装置１００に送信する。
【０１５５】
一方、通信端末装置１００は、サーバ４２０から録音オプションを含むＭＯＳ測定指令を受信すると、音声通信先との間の音声通信中に、録音オプションに基づいて、その音声通信先に向けて送信する音声信号を録音し、録音した録音ファイルを、録音開始及び録音終了の時刻情報（例えば絶対時刻情報）であるタイムスタンプ情報とともに、音源録音ファイルとして保存する。また、通信端末装置１００は、インテリジェント交換機４１０から測定対象録音ファイルを受信する。
【０１５６】
次に、通信端末装置１００は、測定対象録音ファイル及び音源録音ファイルについて、録音した音声信号のすべて又は一部を抽出する。この抽出の条件の情報は、予め通信端末装置１００に保存されている。
【０１５７】
次に、通信端末装置１００は、音源録音ファイル及び測定対象録音ファイルから抽出した互いに対応する所定範囲の音声信号とを比較し、その比較結果に基づいてＭＯＳ値を計算し、計算したＭＯＳ値を、音声品質測定時の通信端末装置１００の所在位置情報、時間情報、キャリア情報等の測定環境情報とともにサーバ４２０に送信する。サーバ４２０は、通信端末装置１００から受信したＭＯＳ値と測定環境情報とを互いに関連付けて保存する。
【０１５８】
以上、図２４の例によれば、通信端末装置１００と音声通信先との間の音声通信中に、通信端末装置１００が、通信端末装置１００から移動通信網２００側への上り方向の音声品質を測定することができる。しかも、その音声品質測定にあたって、通信端末装置１００の利用者に音声品質測定のための特別な操作を要求する必要がない。
【０１５９】
図２５は、実施形態４の音声品質測定システムにおける通信端末装置と音声通信先との通話中に行う上り方向の音声品質測定処理の更に他の例を示すシーケンス図である。
図２５において、通信端末装置１００と音声通信先（例えば図１７中の通信端末装置９００）との間で電話通信回線が確立され通話開始処理が完了した後、通信端末装置１００と音声通信先との音声通信中に、サーバ４２０は、インテリジェント交換機４１０及び通信端末装置１００に、前述の録音オプションを含むＭＯＳ測定指令を送信する。
【０１６０】
インテリジェント交換機４２０は、サーバ４２０から録音オプションを含むＭＯＳ測定指令を受信すると、録音オプションに基づいて、通信端末装置１００から音声通信先に向けて送信されている音声データを複製して取得し、録音開始及び録音終了の時刻情報（例えば絶対時刻情報）であるタイムスタンプ情報とともに、音声データから作成した音声品質測定用の音声信号の測定対象録音ファイルとして保存する。この音声信号の音源録音ファイルは、サーバ４２０に送信される。
【０１６１】
一方、通信端末装置１００は、サーバ４２０から録音オプションを含むＭＯＳ測定指令を受信すると、音声通信先との間の音声通信中に、録音オプションに基づいて、その音声通信先に向けて送信する音声信号を録音し、録音した録音ファイルを音源録音ファイルとして保存する。この音源録音ファイルは、音声品質測定時の通信端末装置１００の所在位置情報、時間情報、キャリア情報等の測定環境情報とともにサーバ４２０へ送信される。
【０１６２】
次に、サーバ４２０は、測定対象録音ファイル及び音源録音ファイルについて、録音した音声信号のすべて又は一部を抽出する。この抽出の条件の情報は、予めサーバ４２０に保存されている。
【０１６３】
次に、サーバ４２０は、音源録音ファイル及び測定対象録音ファイルから抽出した互いに対応する所定範囲の音声信号を比較し、その比較結果に基づいてＭＯＳ値を計算し、計算したＭＯＳ値と測定環境情報とを互いに関連付けて保存する。
【０１６４】
以上、図２５の例によれば、通信端末装置１００と音声通信先との間の音声通信中に、サーバ４２０が、通信端末装置１００から移動通信網２００側への上り方向の音声品質を測定することができる。しかも、その音声品質測定にあたって、通信端末装置１００の利用者に音声品質測定のための特別な操作を要求する必要がない。また、ＭＯＳ値の計算をサーバ４２０で行っているので、通信端末装置１００の負荷を軽減することができる。
【０１６５】
なお、上記図１８〜図２５の例では、受信音声信号及び送信音声信号の複製及び録音と、音源録音ファイル及び測定対象録音ファイルの保存及び通信端末装置１００への送信とを、インテリジェント交換機４１０で行っているが、交換機２１０又は交換機５１０で行うようにしてもよい。
また、上記図１９、図２１、図２３及び２５の例では、ＭＯＳ値の計算をサーバで行っているが、インテリジェント交換機４１０で行うようにしてもよい。
【０１６６】
また、実施形態４において、サーバ４２０は、ＭＯＳ値を計算できなかった場合、ＭＯＳ値に代えて、ＭＯＳ値を計算できなかった旨の情報を保存するようにしてもよい。また、ＭＯＳ値と、そのＭＯＳ値の計算に用いた測定対象録音ファイル又はその識別情報と、当該ＭＯＳ値の計算に用いた音源録音ファイル又はその識別情報とを互いに関連付けて保存するようにしてもよい。また、ＭＯＳ値の計算をサーバ４２０で行っているので、通信端末装置１００の負荷を軽減することができる。
【０１６７】
なお、上記各実施形態４において、サーバ４２０は、ＭＯＳ値を計算できなかった場合、ＭＯＳ値に代えて、ＭＯＳ値を計算できなかった旨の情報を保存するようにしてもよい。また、ＭＯＳ値と、そのＭＯＳ値の計算に用いた測定対象録音ファイル又はその識別情報と、当該ＭＯＳ値の計算に用いた音源録音ファイル又はその識別情報とを互いに関連付けて保存するようにしてもよい。
【０１６８】
なお、本明細書で説明された通信端末装置１００、サーバ３２０，４２０，８００，８５０、インテリジェント交換機３１０，４２０を有する通信網側装置３００，４００、データベース７１０を有するサービス提供装置７００それぞれにおける処理工程及び構成要素は、前述の手段のほか、様々な手段によって実装することができる。例えば、これらの処理工程及び構成要素は、ハードウェア、ファームウェア、ソフトウェア、又は、それらの組み合わせで実装されてもよい。
【０１６９】
ハードウェア実装については、実体（例えば、各種無線通信装置、ＮｏｄｅＢ、通信端末装置、サーバ、ゲートウェイ、交換機、コンピュータ、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【０１７０】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【０１７１】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【０１７２】
１００  通信端末装置
２００  移動通信網
２１０  交換機
３００，４００  通信網側装置
３１０，４１０  インテリジェント交換機
３２０，４２０  サーバ
５００  移動通信網
５１０  交換機
６００  固定通信網
７００  サービス提供装置
７１０  データベース
８００、８５０  サーバ
９００、９１０  通信端末装置（音声通信先）
【先行技術文献】
【非特許文献】
【０１７３】
【非特許文献１】"Perceptual evaluation of speech quality (PESQ): An objective method for end-to-end speech quality assessment of narrow-band telephone networks and speech codecs", SERIES P: TELEPHONE TRANSMISSION QUALITY, TELEPHONE INSTALLATIONS, LOCAL LINE NETWORKS, Methods for objective and subjective assessment of quality, TELECOMMUNICATION STANDARDIZATION SECTOR OF ITU, ITU-T Recommendation P.862 (02/2001).
【非特許文献２】"Perceptual objective listening quality assessment", SERIES P: ERMINALS AND SUBJECTIVE AND OBJECTIVE ASSESSMENT METHODS, Methods for objective and subjective assessment of speech quality, TELECOMMUNICATION STANDARDIZATION SECTOR OF ITU, ITU-T Recommendation P.863 (01/2011).
【図１】
0005878148.tif 000003
【図２】
0005878148.tif 000004
【図３】
0005878148.tif 000005
【図４】
0005878148.tif 000006
【図５】
0005878148.tif 000007
【図６】
0005878148.tif 000008
【図７】
0005878148.tif 000009
【図８】
0005878148.tif 000010
【図９】
0005878148.tif 000011
【図１０】
0005878148.tif 000012
【図１１】
0005878148.tif 000013
【図１２】
0005878148.tif 000014
【図１３】
0005878148.tif 000015
【図１４】
0005878148.tif 000016
【図１５】
0005878148.tif 000017
【図１６】
0005878148.tif 000018
【図１７】
0005878148.tif 000019
【図１８】
0005878148.tif 000020
【図１９】
0005878148.tif 000021
【図２０】
0005878148.tif 000022
【図２１】
0005878148.tif 000023
【図２２】
0005878148.tif 000024
【図２３】
0005878148.tif 000025
【図２４】
0005878148.tif 000026
【図２５】
0005878148.tif 000027